(57)【要約】【課題】渇水時でも平水時同様の手段で番水によらず水を確実に一定の分水比で幹線水路側と支線水路側とに配分する。【解決手段】水路の分水機構２は、幹線水路２０から水流の一部を支線水路２１へ分水する分水口４と残りの水流を下流へ通水する通水口５とに設けられ、各口４、５を通過する水流を制御する流量制御装置を備えている。この流量制御装置は、両口４、５に上下に変位可能に設けられ両口をともにほぼ同一の開度で開き、下方で水流の通過を許容し上端からの越流を阻止する潜流調整板１０とこの潜流調整板１０を上下に変位させ開度を調整する調整ロッド１１とを備えて構成される。潜流調整板１０は、両口にわたって一体で変位する矩形状の一枚板により構成され、その上下方向寸法を水路の設計水位の高さ寸法Ｌｌｍｔとほぼ同一または長寸としている。【選択図】図５
2012172312.tif 000002
【特許請求の範囲】
【請求項１】
幹線水路から水流の一部を支線水路へ分水する分水口と残りの水流を下流へ通水する通水口とに設けられ、各口を通過する水流を制御する流量制御装置を備えた水路の分水機構において、
流量制御装置を、下端が両口に上下に変位可能に設けられた潜流調整部材とこの潜流調整部材の下端を上下に変位させて保持する変位手段とを備えて構成し、両口をともにほぼ同一の高さで開き潜流調整部材の下方で水流の通過を許容するようにしたことを特徴とする水路の分水機構。
【請求項２】
潜流調整部材は、両口にわたって配置され上下方向寸法が水路の設計水位の高さ寸法とほぼ同一または長寸に形成され上端からの越流を阻止する潜流調整板であることを特徴とする請求項１に記載の水路の分水機構。
【請求項３】
流量制御装置を分水口と通水口の一部とに設けるとともに、通水口の残りの部分には上端越流部を所望の高さに設定して越流を許容し上流側の水位を制御する水位制御装置を設けたことを特徴とする請求項１または２に記載の水路の分水機構。
【請求項４】
水位制御装置は、水路側壁と流量制御装置との間に上方から差し入れられて下端部が水路底面に当接され、上端越流部が潜流調整板下端部より上方に位置し上流側水位がこの上端越流部より高くなると下流側に水を越流させる堰上げ板を備えて構成されることを特徴とする請求項３に記載の水路の分水機構。
【請求項５】
変位手段は、水路に設けられ潜流調整板の左右両端が差し入れられるガイドと、両ガイドの上方に設けられ水路に固定された支持枠と、この支持枠に螺合され下端が潜流調整板に回動可能に連結され上端が支持枠を貫通して突出するロッドと、このロッドを回動操作する操作部とを備えて構成されることを特徴とする請求項２に記載の水路の分水機構。
【請求項６】
潜流調整部材を上下方向寸法を水路の設計水位の高さ寸法より短寸に形成した潜流調整板により形成するとともに、
分水口と通水口とにわたって上端越流部を所望の高さに設定して越流を許容し上流側の水位を制御する水位制御装置を設け、
この水位制御装置を、潜流調整板に左右両端を合致させて摺動自在に重ね合わされ、上下方向寸法が水路の設計水位の高さ寸法より短寸に形成され、潜流調整板と独立に上下に変位可能な越流調整板を備えて構成し、
分水口または水位制御装置のうちいずれか一方に、水位制御装置から支線水路側への越流を阻止する越流阻止部を設け、
変位手段を、この越流調整板を上下に変位させるとともに、越流調整板の上端越流部を潜流調整板の上端部より上方に、越流調整板の下端部を潜流調整板の下端部より上方に保持し、上流側水位がこの上端越流部より高くなると通水口側に水を越流させるよう構成したことを特徴とする請求項１に記載の水路の分水機構。
【請求項７】
変位手段は、水路の側壁に設けられ潜流調整板と越流調整板との左右両端が差し入れられる各ガイドと、両ガイドの上方に設けられ水路に固定された支持枠と、この支持枠にそれぞれ螺合され下端が潜流調整板と越流調整板とに回動可能に連結され、上端がそれぞれ支持枠を貫通して突出する各ロッドと、これら各ロッドをそれぞれ回動操作する操作部とを備えて構成されることを特徴とする請求項６に記載の水路の分水機構。
【請求項８】
越流阻止部が、分水口の上側を覆って形成される壁であることを特徴とする請求項６に記載の水路の分水機構。
【請求項９】
越流阻止部が、支持枠または越流調整板のうちいずれか一方に設けられ分水口の上側を常時覆う越流阻止板であることを特徴とする請求項６に記載の水路の分水機構。
【請求項１０】
通水口と分水口とが同一水路面に形成されることを特徴とする請求項１ないし９のうちいずれか１に記載の水路の分水機構。
【請求項１１】
分水口を幹線水路の側壁に形成し、通水口を分水口より下流側の幹線水路の水路面とするとともに、これら分水口と通水口とにそれぞれ潜流調整板を設け、変位手段はこれら各潜流調整板を同期させて上下に変位させることを特徴とする請求項１または２に記載の水路の分水機構。
【請求項１２】
幹線水路には、一端が分水口に向かい合う他方の側壁に開口し他端が他の支線水路に接続される連絡水路が設けられ、連絡水路と通水口下流側の幹線水路との間には、連絡水路からの水流を幹線水路に導き上流側の水位を制御する水位制御装置が設けられることを特徴とする請求項１１に記載の水路の分水機構。
【請求項１３】
連絡水路と他の支線水路との間には、余水吐が形成されるとともに、水位制御装置が制御する最高水位を余水吐の高さより低く設定したことを特徴とする請求項１２に記載の水路の分水機構。
【請求項１４】
分水口を通水口と高さを異ならせて形成し、上流側水位が異なる高さの差に達するまで、一方の口への流水の通過を優先させることを特徴とする請求項１１に記載の水路の分水機構。
【請求項１５】
潜流調整部材により支線水路へ分水される分水量と下流側幹線水路へ流下する通水量との比により求められる分水比が、潜流調整部材によりそれぞれ開口される両口の開口面積比に基づいて設定されることを特徴とする請求項１に記載の水路の分水機構。
【請求項１６】
潜流調整部材により支線水路へ分水される分水量と下流側幹線水路へ流下する通水量はそれぞれ、流量係数に基づいて補正されることを特徴とする請求項１５に記載の水路の分水機構。
【請求項１７】
潜流調整部材には、通水口側の下端部が切り欠かれ、常時潜流を許容する切り欠き部が形成されることを特徴とする請求項１ないし１６のうちいずれか１に記載の水路の分水機構。
【請求項１８】
通水口には、支持ガイドを介して複数の潜流調整板を並べて配置したことを特徴とする請求項１０または１１に記載の水路の分水機構。
【請求項１９】
隣り合う潜流調整板には、上下に接離可能に支持され、一方の側の潜流調整板が上昇すると他方の側の潜流調整板を押し上げてともに上昇し、一方の側の潜流調整板が下降すると他方の側の潜流調整板が連動して下降する支持機構を設けるとともに、変位手段を取水口から最遠の潜流調整板から最も離れた取水口の最近傍の潜流調整板に設け、変位手段が取水口の最近傍の潜流調整板を上方に変位させると、隣り合う他方の潜流調整板から取水口の最遠の潜流調整板まで順に上方に変位させて連動させ、変位手段が取水口の最近傍の潜流調整板を下方に変位させると、隣り合う他方の潜流調整板から取水口から最遠の潜流調整板まで順次連動して降下させるよう構成したことを特徴とする請求項１８に記載の水路の分水機構。
【請求項２０】
支持機構は、一端が潜流調整板に取り付けられ、延長端が取水口から最遠の潜流調整板に近い側の隣の潜流調整板に及んでこの延長端に載置面が形成された支持部材と、この隣の潜流調整板に取り付けられ、下面がこれら両潜流調整板の最下端位置で支持部材の延長端載置面に載置される当接部材とを備えて構成されることを特徴とする請求項１９に記載の水路の分水機構。
【請求項２１】
幹線水路の側壁に形成された分水口側の潜流調整板と、通水口側に設けられ分水口に近い取水口の最近傍の潜流調整板とを連結機構により連結したことを特徴とする請求項１９または２０に記載の水路の分水機構。
【請求項２２】
分水口側潜流調整板が通水口側潜流調整板より上方に変位することを規制する規制機構を設けたことを特徴とする請求項１１に記載の水路の分水機構。
【請求項２３】
規制機構を、各潜流調整板側にそれぞれストッパを一部を上下に重複させて設け、分水口側の潜流調整板側ストッパを通水口側の潜流調整板側ストッパより下方に配置して構成したことを特徴とする請求項２２に記載の水路の分水機構。
【請求項２４】
変位手段を、潜流調整板間に設けられ潜流調整板の左右両端が差し入れられる支持ガイドと、支持ガイドの上方に設けられ水路に固定された支持枠と、潜流調整板毎に支持枠に取り付けられ潜流調整板を同期させて上下に変位させる油圧シリンダと、これら油圧シリンダに配管を介して圧油を供給する油圧供給機構とを備えて構成したことを特徴とする請求項１８に記載の水路の分水機構。
【請求項２５】
変位手段を、潜流調整板間に設けられ潜流調整板の左右両端が差し入れられる支持ガイドと、支持ガイドの上方に設けられ水路に固定された支持枠と、上下に形成された雄ねじ部を同一水路面上に並んで配置された潜流調整板の雌ねじ部に螺合させ、上端にウォームホイールが取り付けられたねじロッドと、支持枠に軸受けを介して回動自在に支持され、ギヤ部がそれぞれねじロッドのウォームホイールに噛合するとともに、一端に操作ホイールが取り付けられたウォームシャフトとを備えて構成したことを特徴とする請求項１８に記載の水路の分水機構。
【請求項２６】
変位手段を、一端が潜流調整板上端部の左右両側にそれぞれ連結されたワイヤと、ワイヤの他端を連結して引き出し自在に巻き取るとともに同一軸心上に配置されたプーリと、これら各プーリの互いに向かい合う一側面から延びる軸同士を連結してこれら両軸を同期させる潜流調整板水平同期手段と、プーリを正逆に回動させる回動操作手段とを備えて構成したことを特徴とする請求項１ないし３のうちいずれか１に記載の水路の分水機構。
【請求項２７】
支持ガイドを介して潜流調整板を複数設けるとともに、
変位手段を、隣接する潜流調整板のプーリのうち他方の潜流調整板の近接したプーリの他方の側面からプーリと一体回動する回動伝達手段を引き出し、これら回動伝達手段同士を連結してこれら回動伝達手段を同期させる全潜流調整板水平同期手段を設けて構成したことを特徴とする請求項２６に記載の水路の分水機構。
【請求項２８】
回動伝達手段を、近接したプーリの他方の側面からそれぞれ引き出される回動伝達軸により構成し、
潜流調整板水平同期手段を、軸に連結された歯車同士を噛合させた第１のコネクタにより、全潜流調整板水平同期手段を、回動伝達軸に連結された歯車同士を噛合させた第２のコネクタによりそれぞれ構成したことを特徴とする請求項２７に記載の水路の分水機構。
【請求項２９】
分水口を幹線水路の側壁に形成し、通水口を分水口より下流側の幹線水路の水路面とするとともに、これら分水口と通水口とにそれぞれ潜流調整板を設けたことを特徴とする請求項２７または２８に記載の水路の分水機構。
【請求項３０】
第２のコネクタを、複数のコネクタにより構成したことを特徴とする請求項２９に記載の水路の分水機構。
【請求項３１】
回動伝達手段を、近接したプーリの他方の側面からそれぞれ引き出される弦巻ばねにより構成し、
全潜流調整板水平同期手段を、各弦巻ばねの他端に連結された歯車同士を噛合させた第２のコネクタにより構成したことを特徴とする請求項２７、２９または３０のうちいずれか１に記載の水路の分水機構。
【請求項３２】
水位制御装置は、下端が水路側壁と流量制御装置との間で上下に変位可能に設けられ上端からの越流を阻止するとともに下方で水流の通過を許容する水位制御用潜流板とこの水位制御用潜流板の下端を上下に変位させて保持する水位制御用潜流板変位装置とを備えて構成されることを特徴とする請求項３に記載の水路の分水機構。
【発明の詳細な説明】
【技術分野】
【０００１】
本発明は、幹線水路と支線水路とに流水を配分操作する水路の分水機構に関する。
【背景技術】
【０００２】
一般に、灌漑水路などの開水路で水を配分するにあたり、渇水などで送水量が減少した場合、上流優先の取水が水争いの主な原因となり、配分比の確保が大きな問題となる。渇水時の水管理の手法としては、歴史的に番水が行われていた。番水の機能としては、（１）取水水位の確保、（２）水路からの浸透損失の減少および（３）ルールを守った確実な水の配分操作である。しかしながら、番水は効果的ではあるものの非常に労力が大きいという難点がある。
【０００３】
そこで、従来、取水水位の確保と水路からの浸透損失の減少という上記２点を解消する手法として、水路のコンクリート化と分水ゲートとチェックゲートとの組み合わせによる分水装置が提案されている。この分水装置は、幹線水路から水流の一部を支線水路へ分水する分水口と残りの水流を下流へ通水する通水口とにそれぞれ流量制御装置を設け、各口を通過する水流を制御するようにしている（例えば、特許文献１参照。）。流量制御装置は、分水口側に設けられた分水口側支線取水ゲート（分水ゲート）と、通水口側に設けられた通水口側幹線チェックゲート（チェックゲート）とにより構成され、それぞれ独立に制御されるようになっている。
【先行技術文献】
【特許文献】
【０００４】
【特許文献１】特公平５−９８０８号公報
【発明の概要】
【発明が解決しようとする課題】
【０００５】
しかしながら、上記従来の技術では、チェックゲートと分水ゲートとがそれぞれ独立に制御されるため、通水口を通過する通水量と分水口を通過する分水量との分水比率（分水比＝分水量／通水量）の制約がない。このため「ルールを守った確実な水配分操作」ができないという課題がある。特に、分水口側の取水水位を上げるために通水口側のチェックゲートの開度を正常な値より小さくすると、支線への過剰な分水が発生し、通水口から下流への通水量が減少して下流の水不足を招く。このように、分水口側での取水水位確保と通水口から下流へ送水量確保はトレードオフとなっている。このため、渇水時には、チェックゲートがあるにも係わらず、ルールを守った操作が行われないため、労力を要する番水を行わなければならないという問題がある。
【０００６】
本発明は、上記課題を解決するためになされたもので、簡易な構成で、渇水時でも平水時と同様に通常の管理により水を確実に一定の分水比で配分操作することができる水路の分水機構を提供することを目的とする。
【課題を解決するための手段】
【０００７】
本発明の請求項１に係る水路の分水機構は、幹線水路から水流の一部を支線水路へ分水する分水口と残りの水流を下流へ通水する通水口とに設けられ、各口を通過する水流を制御する流量制御装置を備えた水路の分水機構において、流量制御装置を、下端が両口に上下に変位可能に設けられた潜流調整部材とこの潜流調整部材の下端を上下に変位させて保持する変位手段とを備えて構成し、両口をともにほぼ同一の高さで開き潜流調整部材の下方で水流の通過を許容するようにしたことを特徴としている。
【０００８】
本発明の請求項１に係る水路の分水機構では、幹線水路から水流の一部を支線水路へ分水する分水口と残りの水流を下流へ通水する通水口とに設けられ、各口を通過する水流を制御する流量制御装置を備えた水路の分水機構において、流量制御装置を、下端が両口に上下に変位可能に設けられた潜流調整部材とこの潜流調整部材の下端を上下に変位させて保持する変位手段とを備えて構成し、両口をともにほぼ同一の高さで開き潜流調整部材の下方で水流の通過を許容するようにしたことにより、水路では、通水口を通過する通水量と分水口を通過する分水量とにより求められる分水比率が常にほぼ一定となる。分水と通水との水量の配分はこの分水比率に基づいて行われる。このため、たとえ渇水時であっても、分水比率に基づいてルールを守った水の配分が確実に行われる。
【０００９】
本発明の請求項２に係る水路の分水機構は、潜流調整部材が、両口にわたって配置され上下方向寸法が水路の設計水位の高さ寸法とほぼ同一または長寸に形成され上端からの越流を阻止する潜流調整板であることを特徴としている。
【００１０】
本発明の請求項２に係る水路の分水機構では、潜流調整部材は、両口にわたって配置され上下方向寸法が水路の設計水位の高さ寸法とほぼ同一または長寸に形成され上端からの越流を阻止する潜流調整板であることにより、潜流調整板の上端から越流することがなく、両口を通過する潜流のみにより、分水口下流の水量と通水口下流の水量が決定される。
【００１１】
本発明の請求項３に係る水路の分水機構は、流量制御装置を分水口と通水口の一部とに設けるとともに、通水口の残りの部分には上端越流部を所望の高さに設定して越流を許容し上流側の水位を制御する水位制御装置を設けたことを特徴としている。
【００１２】
本発明の請求項３に係る水路の分水機構では、流量制御装置を分水口と通水口の一部とに設けるとともに、通水口の残りの部分には上端越流部を所望の高さに設定して越流を許容し上流側の水位を制御する水位制御装置を設けたことにより、通水口上流側の水位を制御することができるので、上流側の水位が所望のレベルに達すると分水比率に基づいた配分に加え、通水口下流側への流下を優先させることができる。すなわち、通水口の残りの部分により潜流以外の余剰な流量が流下される。
【００１３】
本発明の請求項４に係る水路の分水機構は、水位制御装置が、水路側壁と流量制御装置との間に上方から差し入れられて下端部が水路底面に当接され、上端越流部が潜流調整板下端部より上方に位置し上流側水位がこの上端越流部より高くなると下流側に水を越流させる堰上げ板を備えて構成されることを特徴としている。
【００１４】
本発明の請求項４に係る水路の分水機構では、水位制御装置は、水路側壁と流量制御装置との間に上方から差し入れられて下端部が水路底面に当接され、上端越流部が潜流調整板下端部より上方に位置し上流側水位がこの上端越流部より高くなると下流側に水を越流させる堰上げ板を備えて構成されることにより、堰上げ板の高さにより上流側の水位がどのレベルに達すると通水口下流側への流下を優先させるか決定することができる。
【００１５】
本発明の請求項５に係る水路の分水機構は、変位手段が、水路に設けられ潜流調整板の左右両端が差し入れられるガイドと、両ガイドの上方に設けられ水路に固定された支持枠と、この支持枠に螺合され下端が潜流調整板に回動可能に連結され上端が支持枠を貫通して突出するロッドと、このロッドを回動操作する操作部とを備えて構成されることを特徴としている。
【００１６】
本発明の請求項５に係る水路の分水機構では、変位手段は、水路に設けられ潜流調整板の左右両端が差し入れられるガイドと、両ガイドの上方に設けられ水路に固定された支持枠と、この支持枠に螺合され下端が潜流調整板に回動可能に連結され上端が支持枠を貫通して突出するロッドと、このロッドを回動操作する操作部とを備えて構成されることにより、操作部が操作されると、ロッドを介して潜流調整板が上下に変位される。
【００１７】
本発明の請求項６に係る水路の分水機構は、潜流調整部材を上下方向寸法を水路の設計水位の高さ寸法より短寸に形成した潜流調整板により形成するとともに、分水口と通水口とにわたって上端越流部を所望の高さに設定して越流を許容し上流側の水位を制御する水位制御装置を設け、この水位制御装置を、潜流調整板に左右両端を合致させて摺動自在に重ね合わされ、上下方向寸法が水路の設計水位の高さ寸法より短寸に形成され、潜流調整板と独立に上下に変位可能な越流調整板を備えて構成し、分水口または水位制御装置のうちいずれか一方に、水位制御装置から支線水路側への越流を阻止する越流阻止部を設け、変位手段を、この越流調整板を上下に変位させるとともに、越流調整板の上端越流部を潜流調整板の上端部より上方に、越流調整板の下端部を潜流調整板の下端部より上方に保持し、上流側水位がこの上端越流部より高くなると通水口側に水を越流させるよう構成したことを特徴としている。
【００１８】
本発明の請求項６に係る水路の分水機構では、潜流調整部材を上下方向寸法を水路の設計水位の高さ寸法より短寸に形成した潜流調整板により形成するとともに、分水口と通水口とにわたって上端越流部を所望の高さに設定して越流を許容し上流側の水位を制御する水位制御装置を設け、この水位制御装置を、潜流調整板に左右両端を合致させて摺動自在に重ね合わされ、上下方向寸法が水路の設計水位の高さ寸法より短寸に形成され、潜流調整板と独立に上下に変位可能な越流調整板を備えて構成し、分水口または水位制御装置のうちいずれか一方に、水位制御装置から支線水路側への越流を阻止する越流阻止部を設け、変位手段を、この越流調整板を上下に変位させるとともに、越流調整板の上端越流部を潜流調整板の上端部より上方に、越流調整板の下端部を潜流調整板の下端部より上方に保持し、上流側水位がこの上端越流部より高くなると通水口側に水を越流させるよう構成したことにより、変位手段により越流調整板の上端越流部を上流側水位より上方に変位させ、潜流調整板を水路底面から所望の高さ位置でそれぞれ保持すると、ほぼ一定の分水比率で下流側幹線水路と支線水路とに潜流調整板の高さ位置に応じた水量で通水と分水との配分が行われる。変位手段により潜流調整板を水路底面から上方に保持して潜流の流出を許容し、越流調整板の上端越流部を上流側水位より下方に変位させて保持すると、分水比率に基づいて潜流調整板の開放面積に応じた水量が通水口と分水口とにそれぞれ配分されるだけでなく、それ以上の水量を通水口下流側へ流すことができる。すなわち、支線水路には、潜流のみ流入されるので、残りの流量は下流側幹線水路に流下される。このため、幹線側水路が優先される。このため、上流側水位上昇時や余裕時などに幹線水路側と支線水路側とに適切な配分操作を行うことができる。
【００１９】
本発明の請求項７に係る水路の分水機構は、変位手段が、水路の側壁に設けられ潜流調整板と越流調整板との左右両端が差し入れられる各ガイドと、両ガイドの上方に設けられ水路に固定された支持枠と、この支持枠にそれぞれ螺合され下端が潜流調整板と越流調整板とに回動可能に連結され、上端がそれぞれ支持枠を貫通して突出する各ロッドと、これら各ロッドをそれぞれ回動操作する操作部とを備えて構成されることを特徴としている。
【００２０】
本発明の請求項７に係る水路の分水機構では、変位手段は、水路の側壁に設けられ潜流調整板と越流調整板との左右両端が差し入れられる各ガイドと、両ガイドの上方に設けられ水路に固定された支持枠と、この支持枠にそれぞれ螺合され下端が潜流調整板と越流調整板とに回動可能に連結され、上端がそれぞれ支持枠を貫通して突出する各ロッドと、これら各ロッドをそれぞれ回動操作する操作部とを備えて構成されることにより、潜流調整板側の操作部を操作すると、ロッドを介して潜流調整板が上下に変位され、越流調整板側の操作部を操作すると、ロッドを介して越流調整板が上下に変位される。しかも、変位手段は、越流調整板の上端越流部を潜流調整板の上端部より上方に、越流調整板の下端部を潜流調整板の下端部より上方に保持するようにしているので、越流調整板の上端越流部は潜流調整板の下端部より常に上方に保持される。
【００２１】
本発明の請求項８に係る水路の分水機構は、越流阻止部が、分水口の上側を覆って形成される壁であることを特徴としている。
【００２２】
本発明の請求項８に係る水路の分水機構では、越流阻止部が、分水口の上側を覆って形成される壁であることにより、支線水路には、最大で分水口の開口面積に応じた流量が潜流として流入され、残りの流量は下流側幹線水路に流下される。このため、幹線側水路が優先される。
【００２３】
本発明の請求項９に係る水路の分水機構は、越流阻止部が、支持枠または越流調整板のうちいずれか一方に設けられ分水口の上側を常時覆う越流阻止板であることを特徴としている。
【００２４】
本発明の請求項９に係る水路の分水機構では、越流阻止部が、支持枠または越流調整板のうちいずれか一方に設けられ分水口の上側を常時覆う越流阻止板であることにより、越流阻止板は支線水路への越流を阻止するので、支線水路には、潜流のみ流入され、残りの流量は下流側幹線水路に流下される。このため、幹線側水路が優先される。
【００２５】
本発明の請求項１０に係る水路の分水機構は、通水口と分水口とが同一水路面に形成されることを特徴としている。
【００２６】
本発明の請求項１０に係る水路の分水機構では、通水口と分水口とが同一水路面に形成されるようにしたことにより、潜流調整部材を一枚の板により構成することができるので、構造が簡素化される。また、既存の水路で通水口と分水口とにそれぞれ一枚ずつ開閉扉が設けられている場合でも、これらを同期させて変位手段により上下させることにより、潜流調整部材としての機能を果たすことができるので、既存の水路にも適用することができる。
【００２７】
本発明の請求項１１に係る水路の分水機構は、分水口を幹線水路の側壁に形成し、通水口を分水口より下流側の幹線水路の水路面とするとともに、これら分水口と通水口とにそれぞれ潜流調整板を設け、変位手段はこれら各潜流調整板を同期させて上下に変位させることを特徴としている。
【００２８】
本発明の請求項１１に係る水路の分水機構では、分水口を幹線水路の側壁に形成し、通水口を分水口より下流側の幹線水路の水路面とするとともに、これら分水口と通水口とにそれぞれ潜流調整板を設け、変位手段はこれら各潜流調整板を同期させて上下に変位させることにより、通水口と分水口が同一水路面に形成されていなくとも、予め決められた分水比率に応じた通水量と分水量とを保持することができる。
【００２９】
本発明の請求項１２に係る水路の分水機構は、幹線水路には、一端が分水口に向かい合う他方の側壁に開口し他端が他の支線水路に接続される連絡水路が設けられ、連絡水路と通水口下流側の幹線水路との間には、連絡水路からの水流を幹線水路に導き上流側の水位を制御する水位制御装置が設けられることを特徴としている。
【００３０】
本発明の請求項１２に係る水路の分水機構では、幹線水路には、一端が分水口に向かい合う他方の側壁に開口し他端が他の支線水路に接続される連絡水路が設けられ、連絡水路と通水口下流側の幹線水路との間には、連絡水路からの水流を幹線水路に導き上流側の水位を制御する水位制御装置が設けられるようにしたことにより、連絡水路により上流側幹線水路の水流の一部を水位制御装置により下流側幹線水路に迂回させることができるので、下流側幹線水路への通水を優先させることができる。
【００３１】
本発明の請求項１３に係る水路の分水機構は、連絡水路と他の支線水路との間には、余水吐が形成されるとともに、水位制御装置が制御する最高水位を余水吐の高さより低く設定したことを特徴としている。
【００３２】
本発明の請求項１３に係る水路の分水機構では、連絡水路と他の支線水路との間には、余水吐が形成されるとともに、水位制御装置が制御する最高水位を余水吐の高さより低く設定したことにより、余裕時には、下流側幹線水路側に流入する水量が増大しても余水吐を通じて他の支線水路に排出させることができる。
【００３３】
本発明の請求項１４に係る水路の分水機構は、分水口を通水口と高さを異ならせて形成し、上流側水位が異なる高さの差に達するまで、一方の口への流水の通過を優先させるようにしたことを特徴としている。
【００３４】
本発明の請求項１４に係る水路の分水機構では、分水口を通水口と高さを異ならせて形成し、上流側水位が異なる高さの差に達するまで、一方の口への流水の通過を優先させるようにしたことにより、分水口底部が通水口底部より高い位置にあり、上流側水位が分水口の底より高い場合、各潜流調整部材からの潜流のみにより分水と通水が行われるので、分水比は予め設定された一定の値となる。他方、上流側水位が分水口の底部より低い場合、支線水路には、分水は行われず、下流側幹線水路への通水が優先される。このため、幹線水路の水路面に対して分水口の配置が多様であっても、上流側水位が分水口の底部以上で予め設定された一定の分水比を保持して分水と通水とを行うことができる。そして、上流側水位が分水口の底部以下では、下流側幹線水路への通水を優先させる。
【００３５】
本発明の請求項１５に係る水路の分水機構は、潜流調整部材により支線水路へ分水される分水量と下流側幹線水路へ流下する通水量との比により求められる分水比が、潜流調整部材によりそれぞれ開口される両口の開口面積比に基づいて設定されることを特徴としている。
【００３６】
本発明の請求項１５に係る水路の分水機構では、潜流調整部材により支線水路へ分水される分水量と下流側幹線水路へ流下する通水量との比により求められる分水比が、潜流調整部材によりそれぞれ開口される両口の開口面積比に基づいて設定されることにより、通水口と分水口との形状がたとえ非矩形状の相似形であっても潜流調整部材の上下変位の量と開口面積の増減とが比例しさえすれば、通水口を通過する通水量と分水口を通過する分水量とにより求められる分水比率が常にほぼ一定となり、分水と通水との水量の配分はこの分水比率に基づいて行われる。
【００３７】
本発明の請求項１６に係る水路の分水機構は、潜流調整部材により支線水路へ分水される分水量と下流側幹線水路へ流下する通水量がそれぞれ、流量係数に基づいて補正されることを特徴としている。
【００３８】
本発明の請求項１６に係る水路の分水機構では、潜流調整部材により支線水路へ分水される分水量と下流側幹線水路へ流下する通水量はそれぞれ、流量係数に基づいて補正されるようにしたことにより、分水量と通水量とを予め正確に求めることができる。
【００３９】
本発明の請求項１７に係る水路の分水機構は、潜流調整部材には、通水口側の下端部が切り欠かれ、常時潜流を許容する切り欠き部が形成されることを特徴としている。
【００４０】
本発明の請求項１７に係る水路の分水機構では、潜流調整部材には、通水口側の下端部が切り欠かれ、常時潜流を許容する切り欠き部が形成されるようにしたことにより、通水口側と分水口側とのうち、切り欠き部が形成された側の水路には、渇水・平水時でも、常時、潜流が確保される。このため、分水比に差を設けることができる。
【００４１】
本発明の請求項１８に係る水路の分水機構は、通水口には、支持ガイドを介して複数の潜流調整板を並べて配置したことを特徴としている。
【００４２】
本発明の請求項１８に係る水路の分水機構では、通水口には、支持ガイドを介して複数の潜流調整板を並べて配置したことにより、水路幅の広い大規模な幹線水路であっても、潜流調整板を配置することができ、一定の分水比率に基づいて水の配分が行われる。
【００４３】
本発明の請求項１９に係る水路の分水機構は、隣り合う潜流調整板には、上下に接離可能に支持され、一方の側の潜流調整板が上昇すると他方の側の潜流調整板を押し上げてともに上昇し、一方の側の潜流調整板が下降すると他方の側の潜流調整板が連動して下降する支持機構を設けるとともに、変位手段を取水口から最遠の潜流調整板から最も離れた取水口の最近傍の潜流調整板に設け、変位手段が取水口の最近傍の潜流調整板を上方に変位させると、隣り合う他方の潜流調整板から取水口の最遠の潜流調整板まで順に上方に変位させて連動させ、変位手段が取水口の最近傍の潜流調整板を下方に変位させると、隣り合う他方の潜流調整板から取水口から最遠の潜流調整板まで順次連動して降下させるよう構成したことを特徴としている。
【００４４】
本発明の請求項１９に係る水路の分水機構では、隣り合う潜流調整板には、上下に接離可能に支持され、一方の側の潜流調整板が上昇すると他方の側の潜流調整板を押し上げてともに上昇し、一方の側の潜流調整板が下降すると他方の側の潜流調整板が連動して下降する支持機構を設けるとともに、変位手段を取水口から最遠の潜流調整板から最も離れた取水口の最近傍の潜流調整板に設け、変位手段が取水口の最近傍の潜流調整板を上方に変位させると、隣り合う他方の潜流調整板から取水口の最遠の潜流調整板まで順に上方に変位させて連動させ、変位手段が取水口の最近傍の潜流調整板を下方に変位させると、隣り合う他方の潜流調整板から取水口から最遠の潜流調整板まで順次連動して降下させるよう構成したことにより、複数の潜流調整板は同期して上下に変位される。
【００４５】
本発明の請求項２０に係る水路の分水機構は、支持機構が、一端が潜流調整板に取り付けられ、延長端が取水口から最遠の潜流調整板に近い側の隣の潜流調整板に及んでこの延長端に載置面が形成された支持部材と、この隣の潜流調整板に取り付けられ、下面がこれら両潜流調整板の最下端位置で支持部材の延長端載置面に載置される当接部材とを備えて構成されることを特徴としている。
【００４６】
本発明の請求項２０に係る水路の分水機構では、支持機構は、一端が潜流調整板に取り付けられ、延長端が取水口から最遠の潜流調整板に近い側の隣の潜流調整板に及んでこの延長端に載置面が形成された支持部材と、この隣の潜流調整板に取り付けられ、下面がこれら両潜流調整板の最下端位置で支持部材の延長端載置面に載置される当接部材とを備えて構成されることにより、変位手段側の潜流調整板が上方に押し上げられると、この潜流調整板の支持部材は隣の潜流調整板の当接部材を押し上げて隣の潜流調整板を同期させて上方に変位させる。変位手段側の潜流調整板が下方に降下されると、支持部材は一体に降下するとともに、隣の潜流調整板は自重により降下する。このため、互いに隣り合う潜流調整板は同期して上下に変位される。
【００４７】
本発明の請求項２１に係る水路の分水機構は、幹線水路の側壁に形成された分水口側の潜流調整板と、通水口側に設けられ分水口に近い取水口の最近傍の潜流調整板とを連結機構により連結したことを特徴としている。
【００４８】
本発明の請求項２１に係る水路の分水機構では、幹線水路の側壁に形成された分水口側の潜流調整板と、通水口側に設けられ分水口に近い取水口の最近傍の潜流調整板とを連結機構により連結したことにより、通水口側の潜流調整板と分水口側の潜流調整板とは同期して上下に変位される。
【００４９】
本発明の請求項２２に係る水路の分水機構は、分水口側潜流調整板が通水口側潜流調整板より上方に変位することを規制する規制機構を設けたことを特徴としている。
【００５０】
本発明の請求項２２に係る水路の分水機構では、分水口側潜流調整板が通水口側潜流調整板より上方に変位することを規制する規制機構を設けたことにより、分水口側潜流調整板は通水口側潜流調整板より上方への変位が規制され、必ず下方側に位置するので、分水口側への過剰な分水が避けられる。
【００５１】
本発明の請求項２３に係る水路の分水機構は、規制機構を、各潜流調整板側にそれぞれストッパを一部を上下に重複させて設け、分水口側の潜流調整板側ストッパを通水口側の潜流調整板側ストッパより下方に配置して構成したことを特徴としている。
【００５２】
本発明の請求項２３に係る水路の分水機構では、規制機構を、各潜流調整板側にそれぞれストッパを一部を上下に重複させて設け、分水口側の潜流調整板側ストッパを通水口側の潜流調整板側ストッパより下方に配置して構成したことにより、簡素な構成で分水口側潜流調整板は通水口側潜流調整板より上方へ変位が規制される。
【００５３】
本発明の請求項２４に係る水路の分水機構は、変位手段を、潜流調整板間に設けられ潜流調整板の左右両端が差し入れられる支持ガイドと、支持ガイドの上方に設けられ水路に固定された支持枠と、潜流調整板毎に支持枠に取り付けられ潜流調整板を同期させて上下に変位させる油圧シリンダと、これら油圧シリンダに配管を介して圧油を供給する油圧供給機構とを備えて構成したことを特徴としている。
【００５４】
本発明の請求項２４に係る水路の分水機構では、変位手段を、潜流調整板間に設けられ潜流調整板の左右両端が差し入れられる支持ガイドと、支持ガイドの上方に設けられ水路に固定された支持枠と、潜流調整板毎に支持枠に取り付けられ潜流調整板を同期させて上下に変位させる油圧シリンダと、これら油圧シリンダに配管を介して圧油を供給する油圧供給機構とを備えて構成したことにより、油圧供給機構から各油圧シリンダに所定圧の油圧が導入されると、各潜流調整板は同期して所定の高さに変位される。このため、制御の自動化を図ることができる。
【００５５】
本発明の請求項２５に係る水路の分水機構は、変位手段を、潜流調整板間に設けられ潜流調整板の左右両端が差し入れられる支持ガイドと、支持ガイドの上方に設けられ水路に固定された支持枠と、上下に形成された雄ねじ部を同一水路面上に並んで配置された潜流調整板の雌ねじ部に螺合させ、上端にウォームホイールが取り付けられたねじロッドと、支持枠に軸受けを介して回動自在に支持され、ギヤ部がそれぞれねじロッドのウォームホイールに噛合するとともに、一端に操作ホイールが取り付けられたウォームシャフトとを備えて構成したことを特徴としている。
【００５６】
本発明の請求項２５に係る水路の分水機構では、変位手段を、潜流調整板間に設けられ潜流調整板の左右両端が差し入れられる支持ガイドと、支持ガイドの上方に設けられ水路に固定された支持枠と、上下に形成された雄ねじ部を同一水路面上に並んで配置された潜流調整板の雌ねじ部に螺合させ、上端にウォームホイールが取り付けられたねじロッドと、支持枠に軸受けを介して回動自在に支持され、ギヤ部がそれぞれねじロッドのウォームホイールに噛合するとともに、一端に操作ホイールが取り付けられたウォームシャフトとを備えて構成したことにより、操作ホイールが操作されると、ウォームシャフトの回転量に応じて各ねじロッドが同じ方向に同じ量回動され、各潜流調整板が同期してきめ細かく変位される。
【００５７】
本発明の請求項２６に係る水路の分水機構は、変位手段を、一端が潜流調整板上端部の左右両側にそれぞれ連結されたワイヤと、ワイヤの他端を連結して引き出し自在に巻き取るとともに同一軸心上に配置されたプーリと、これら各プーリの互いに向かい合う一側面から延びる軸同士を連結してこれら両軸を同期させる潜流調整板水平同期手段と、プーリを正逆に回動させる回動操作手段とを備えて構成したことを特徴としている。
【００５８】
本発明の請求項２６に係る水路の分水機構では、変位手段を、一端が潜流調整板上端部の左右両側にそれぞれ連結されたワイヤと、ワイヤの他端を連結して引き出し自在に巻き取るとともに同一軸心上に配置されたプーリと、これら各プーリの互いに向かい合う一側面から延びる軸同士を連結してこれら両軸を同期させる潜流調整板水平同期手段と、プーリを正逆に回動させる回動操作手段とを備えて構成したことにより、回動操作手段によりプーリを正逆に回動させると、プーリの回動に応じてワイヤが潜流調整板上端部の左右両側を上下動させる。このとき、各プーリは潜流調整板水平同期手段により軸を介して同期されるので、ワイヤは潜流調整板上端部の左右両側を同期させて上下動させる。
【００５９】
本発明の請求項２７に係る水路の分水機構は、支持ガイドを介して潜流調整板を複数設けるとともに、変位手段を、隣接する潜流調整板のプーリのうち他方の潜流調整板の近接したプーリの他方の側面からプーリと一体回動する回動伝達手段を引き出し、これら回動伝達手段同士を連結してこれら回動伝達手段を同期させる全潜流調整板水平同期手段を設けて構成したことを特徴としている。
【００６０】
本発明の請求項２７に係る水路の分水機構では、支持ガイドを介して潜流調整板を複数設けるとともに、変位手段を、隣接する潜流調整板のプーリのうち他方の潜流調整板の近接したプーリの他方の側面からプーリと一体回動する回動伝達手段を引き出し、これら回動伝達手段同士を連結してこれら回動伝達手段を同期させる全潜流調整板水平同期手段を設けて構成したことにより、複数の潜流調整板は同期して上下動される。
【００６１】
本発明の請求項２８に係る水路の分水機構は、回動伝達手段を、近接したプーリの他方の側面からそれぞれ引き出される回動伝達軸により構成し、潜流調整板水平同期手段を、軸に連結された歯車同士を噛合させた第１のコネクタにより、全潜流調整板水平同期手段を、回動伝達軸に連結された歯車同士を噛合させた第２のコネクタによりそれぞれ構成したことを特徴としている。
【００６２】
本発明の請求項２８に係る水路の分水機構では、回動伝達手段を、近接したプーリの他方の側面からそれぞれ引き出される回動伝達軸により構成し、潜流調整板水平同期手段を、軸に連結された歯車同士を噛合させた第１のコネクタにより、全潜流調整板水平同期手段を、回動伝達軸に連結された歯車同士を噛合させた第２のコネクタによりそれぞれ構成したことにより、同期をとった上で潜流調整板の配置の自由度を高くすることができる。
【００６３】
本発明の請求項２９に係る水路の分水機構は、分水口を幹線水路の側壁に形成し、通水口を分水口より下流側の幹線水路の水路面とするとともに、これら分水口と通水口とにそれぞれ潜流調整板を設けたことを特徴としている。
【００６４】
本発明の請求項２９に係る水路の分水機構では、分水口を幹線水路の側壁に形成し、通水口を分水口より下流側の幹線水路の水路面とするとともに、これら分水口と通水口とにそれぞれ潜流調整板を設けたことにより、潜流調整板が配置される角度の変化に対する自由度を高くすることができる。
【００６５】
本発明の請求項３０に係る水路の分水機構は、第２のコネクタを、複数のコネクタにより構成したことを特徴としている。
【００６６】
本発明の請求項３０に係る水路の分水機構では、第２のコネクタを、複数のコネクタにより構成したことにより、第２のコネクタの小型化が可能となる。
【００６７】
本発明の請求項３１に係る水路の分水機構は、回動伝達手段を、近接したプーリの他方の側面からそれぞれ引き出される弦巻ばねにより構成し、全潜流調整板水平同期手段を、各弦巻ばねの他端に連結された歯車同士を噛合させた第２のコネクタにより構成したことを特徴としている。
【００６８】
本発明の請求項３１に係る水路の分水機構では、回動伝達手段を、近接したプーリの他方の側面からそれぞれ引き出される弦巻ばねにより構成し、全潜流調整板水平同期手段を、各弦巻ばねの他端に連結された歯車同士を噛合させた第２のコネクタにより構成したことにより、同期をとりやすくなる。  
【００６９】
本発明の請求項３２に係る水路の分水機構は、水位制御装置が、下端が水路側壁と流量制御装置との間で上下に変位可能に設けられ上端からの越流を阻止するとともに下方で水流の通過を許容する水位制御用潜流板とこの水位制御用潜流板の下端を上下に変位させて保持する水位制御用潜流板変位装置とを備えて構成されることを特徴としている。
【００７０】
本発明の請求項３２に係る水路の分水機構では、水位制御装置は、下端が水路側壁と流量制御装置との間で上下に変位可能に設けられ上端からの越流を阻止するとともに下方で水流の通過を許容する水位制御用潜流板とこの水位制御用潜流板の下端を上下に変位させて保持する水位制御用潜流板変位装置とを備えて構成されるようにしたことにより、水位制御用潜流板の下端位置により上流側の水位がどのレベルに達すると通水口下流側への流下を優先させるか決定することができる。
【発明の効果】
【００７１】
本発明に係る水路の分水機構は、幹線水路から水流の一部を支線水路へ分水する分水口と残りの水流を下流へ通水する通水口とに設けられ、各口を通過する水流を制御する流量制御装置を備えた水路の分水機構において、流量制御装置を、下端が両口に上下に変位可能に設けられた潜流調整部材とこの潜流調整部材の下端を上下に変位させて保持する変位手段とを備えて構成し、両口をともにほぼ同一の高さで開き潜流調整部材の下方で水流の通過を許容するようにしたので、簡単な構成で、渇水・平水時にも確実に一定の分水比で配分操作することができる。その結果、番水のような水管理労力を削減することによりコストダウンを図ることができる。
【図面の簡単な説明】
【００７２】
【図１】図１は、本発明の第１の実施例に係る水路の分水機構を示す平面図である。（実施例１）
【図２】図２は、図１の分水機構のＩＩ−ＩＩ線縦断面図である。
【図３】図３は、図１の分水機構のＩＩＩ−ＩＩＩ線縦断面図である。
【図４】図４は、図１の分水機構のＩＶ−ＩＶ線縦断面図である。
【図５】図５は、図１の分水機構を上流側から見た正面図である。
【図６】図６は、図１の分水機構において、渇水時および平水時と余裕時とにおける支線水路と下流側幹線水路との取り込む水量をそれぞれ比較して示す表である。
【図７】図７は、本発明の第２の実施例に係る水路の分水機構を示す一部破断斜視図である。（実施例２）
【図８】図８は、図７の分水機構の平面図である。
【図９】図９の（Ａ）ないし（Ｄ）はそれぞれ、上流側幹線水路の水位に対する潜流調整板と越流調整板との上下方向位置を示す説明図である。
【図１０】図１０は、図７の分水機構において、潜流調整板と越流調整板との上下方向位置および支線水路と下流側幹線水路との取り込む水量をそれぞれ比較して示す表である。
【図１１】図１１は、本発明の第３の実施例に係る水路の分水機構を示す一部破断斜視図である。（実施例３）
【図１２】図１２は、図１１の分水機構の平面図である。
【図１３】図１３は、図１２のＸＩＩＩ−ＸＩＩＩ線縦断面図である。
【図１４】図１４は、図１１の分水機構において、潜流調整板と越流調整板との上下方向位置および支線水路と下流側幹線水路との取り込む水量をそれぞれ比較して示す表である。
【図１５】図１５は、本発明の第４の実施例に係る水路の分水機構を示す平面図である。（実施例４）
【図１６】図１６は、図１５の分水機構の要部を示す説明図である。
【図１７】図１７の（Ａ）および（Ｂ）はそれぞれ、図１５の分水機構の斜視図およびゲートの上から水を越流させるゲート構造の一例を模式的に示す説明図である。
【図１８】図１８は、本発明の第５の実施例に係る水路の分水機構の概念を示す説明図である。（実施例５）
【図１９】図１９は、図１８の分水機構の要部を示す説明図である。
【図２０】図２０は、図１８の分水機構の平面図である。
【図２１】図２１は、図１８の分水機構を上流側から見た一部破断断面図である。
【図２２】図２２は、図２０の分水機構のＸＸＩＩ−ＸＸＩＩ線縦断面図である。
【図２３】図２３の（Ａ）、（Ｂ）はそれぞれ、本発明の特徴を比較して示すモデルを示し、（Ａ）は図１に示す本発明の第１の実施例に係る水路の分水機構の構成に基づいて作成されたモデルで、（Ｂ）は通水口の一部と分水口とにそれぞれ独立に上下に変位する潜流調整板を設け、通水口の他の部位に越流調整板を設けた従来例のモデルを示す。（実施例６）
【図２４】図２４は、幹線水路の流下比（横軸）と支線水路の取水比（縦軸）とについて、図２３の本発明のモデルに基づき本発明の流量制御装置が操作可能な範囲を示すグラフである。
【図２５】図２５は、図２３の従来のモデルに基づき、設計最大送水量が流入する際、従来の流量制御装置が操作可能な範囲を示すグラフである。
【図２６】図２６は、図２３の従来のモデルに基づき、送水量が設計最大送水量の６０％で、かつ支線水路の最大通水量より少ない場合、従来の流量制御装置が操作可能な範囲を示すグラフである。
【図２７】図２７は、図２３の従来のモデルに基づき、送水量が０以上設計最大送水量以下で、かつ支線水路の最大通水量より少ない場合、従来の流量制御装置が操作可能な範囲を示すグラフである。
【図２８】図２８は、図２３の従来のモデルに基づき、送水量が支線水路の最大通水量以上設計最大送水量以下で、かつ支線水路の通常通水量以上最大通水量以下の場合、従来の流量制御装置が操作可能な範囲を示すグラフである。
【図２９】図２９は、幹線水路の０から最大までの送水量（横軸）と支線水路の０から最大までの取水量（横軸）とについて本発明のモデルと従来のモデルとによる操作可能な範囲の違いを示すグラフである。
【図３０】図３０の（Ａ）、（Ｂ）はそれぞれ、本発明の第７の実施例に係る水路の分水機構を示すもので、上流側から見た説明図である。（実施例７）
【図３１】図３１は、本発明の第８の実施例に係る水路の分水機構を示す平面図である。（実施例８）
【図３２】図３２は、図３１の水路の分水機構の要部を下流側から見た概念図である。
【図３３】図３３の（Ａ）ないし（Ｃ）はそれぞれ、本発明の第８の実施例の第１の変形例を示すもので、支持機構としてのストッパを示す斜視図、正面図および平面図である。（実施例９）
【図３４】図３４は、本発明の第８の実施例の第２の変形例に係る水路の分水機構を示す斜視図である。（実施例１０）
【図３５】図３５は、本発明の第８の実施例の第３の変形例に係る水路の分水機構を示す斜視図である。（実施例１１）
【図３６】図３６は、本発明の第９の実施例に係る水路の分水機構を示す平面図である。（実施例１２）
【図３７】図３７は、図３７の水路の分水機構の要部を拡大して示す説明図である。
【図３８】図３８の（Ａ）、（Ｂ）はそれぞれ、第９の実施例に係る水路の分水機構の油圧操作の例を示す説明図である。
【図３９】図３９は、本発明の第１０の実施例に係る水路の分水機構を上流から見た説明図である。（実施例１３）
【図４０】図４０は、図３９の水路の分水機構の要部を示す説明図である。
【図４１】図４１は、本発明の第１１の実施例に係る水路の分水機構の概念図である。（実施例１４）
【図４２】図４２の（Ａ）、（Ｂ）はそれぞれ、本発明の第１２の実施例に係る水路の分水機構の概念図である。（実施例１５）
【図４３】図４３は、本発明の第１３の実施例に係る水路の分水機構の概念図である。（実施例１６）
【図４４】図４４は、本発明の第１３の実施例の変形例に係る水路の分水機構の概念図である。（実施例１７）
【図４５】図４５は、本発明の第１４の実施例に係る水路の分水機構の概念図である。（実施例１８）
【図４６】図４６は、本発明の第１５の実施例に係る水路の分水機構の概念図である。（実施例１９）
【図４７】図４７は、本発明の第１６の実施例に係る水路の分水機構の概念図である。（実施例２０）
【発明を実施するための形態】
【００７３】
渇水時でも平水時でも同様に水を確実に一定の分水比で幹線水路と支線水路とに配分操作するという目的を、幹線水路から水流の一部を支線水路へ分水する分水口と残りの水流を下流へ通水する通水口とに設けられ、各口を通過する水流を制御する流量制御装置を備えた水路の分水機構であって、流量制御装置を、両口に上下に変位可能に設けられる一枚の潜流調整板とこの潜流調整板を上下に変位させて保持する変位装置とを備えて構成し、両口をともにほぼ同一の開度で開き下方で水流の通過を許容し上端からの越流を阻止するようにしたことにより実現した。
【実施例１】
【００７４】
以下、図面に示す実施例により本発明を説明する。図１は、本発明の第１の実施例に係る水路の分水機構を示す平面図である。本実施例に係る水路の分水機構２は、図１および図５に示すように、コンクリート製の水路３は、上流側幹線水路２０と支線水路２１と下流側幹線水路２２とを有し、支線水路２１と下流側幹線水路２２との入口にはそれぞれ、同一水路面に分水口４と通水口５とが形成される。なお、図中、同一符号は同一または相当部分を示す。
【００７５】
水路３には、河川を取水・送水施設として水路代わりに利用している場合も含む。用語は相対的なヒエラルキーを表し、状況で指し示す対象が異なる。このため、以下のように用語を定義付けする。幹線水路から支線水路への分水では、分水前の幹線水路流量を「送水量」、支線水路への取水量を「分水量」、取水後の幹線水路流量を「通水量」、幹線水路を「幹線」、支線水路を「支線」と呼ぶ。支線水路から３次水路への分水では、分水前の支線水路流量を「送水量」、３次水路への取水量を「分水量」、取水後の支線水路流量を「通水量」、支線水路を「幹線」、３次水路を「支線」と呼ぶ。３次水路から末端水路への分水では、分水前の３次水路流量を「送水量」、末端水路への取水量を「分水量」、取水後の３次水路流量を「通水量」、３次水路を「幹線」、末端水路を「支線」と呼ぶ。「直接分水工」とは、幹線水路に支線水路でなく、３次水路や末端水路への分水口が設置されている場合、または、支線水路に３次水路でなく、末端水路への分水口が設置されている場合を指す。「取水比」とは、分水量を送水量で割った値（取水比＝分水量／送水量）である。「分水比」とは、分水量を通水量で割った値（分水比＝分水量／通水量）である。「流下比」とは、通水量を送水量で割った値（流下比＝通水量／送水量）である。「ゲート開度比」とは、ゲートにより開かれた分水口の開口面積をゲートにより開かれた通水口の開口面積で割った値（ゲート開度比＝ゲートにより開かれた分水口の開口面積／ゲートにより開かれた通水口の開口面積）である。
【００７６】
また、本明細書中、平水時とは、各支線水路等の期別の需要量である計画取水量がほぼ充足できる幹線水路最上流端の取水量が確保されている期間をいい、渇水時とは、各支線水路等の期別の需要量である計画取水量が充足されていないが、追加の取水を幹線水路最上流部で河川から行うことができず、取水不足の状況が続いている期間をいい、余裕時とは、各支線水路の期別の需要量である計画取水量がほぼ充足できる幹線水路最上流端の取水量が確保されている状態で、支線水路で必要な取水量が一時的に減少し、送水量に余裕が生じている状態をいい、具体的には、豪雨時の支線水路の取水減少も含まれる。すなわち、水路では、河川流量のような豊水量と平水量の違いはなく、多くの取水は期別の水利権許可の最大値に近い値で取水される。この量を本明細書では、平水時の水量と呼ぶ。また、渇水は、河川から水路最上量流端への取水量が小さく、なおかつ、河川流量が少なくより多く取水できない状況が続く状態を指す。河川でいう豊水は洪水時で流量が多いときをいい、水路でいう余裕時は、流量が多いのではなく、支線水路の取水量が少ないときをいう。
【００７７】
なお、ゲートの流れは、潜り流出と自由流出に分かれるが、山間部等で水路勾配が急峻な場合を除けば、ゲートは潜り流出で利用されている場合が圧倒的多数である。このため、以下では、潜り流出を念頭においた説明をする。自由流出の場合には、下流水位を、ゲート開口部の中央の標高、あるいは近似的には、ゲート敷高に置き換えればよい。
【００７８】
水路３の分水口４には、水路３の一方の側壁３Ａに支柱６Ａが、通水口５には、水路３の他方の側壁３Ｂに支柱６Ｂが、それぞれ水路３の幅方向を一致させて設置される。さらに、通水口５側には、これら支柱６Ａ、６Ｂ間で他方の側壁３Ｂの近傍に支柱６Ｃが幅方向を一致させて設置される。分水壁７の上流側端部には、並んで立設された支柱６Ａ、６Ｃ、６Ｂより下流側に後退して支柱６Ｄが設置される。支柱６Ａ、６Ｃおよび支柱６Ｂ、６Ｃにはそれぞれ、互いに向き合う面に図示しない縦溝（ガイド）が形成される。支柱６Ａ〜６Ｃの頂部には、上枠６Ｅが取り付けられるようになっており、これら支柱６Ａ〜６Ｃと上枠６Ｅとにより支持枠を構成している。第１のゲート（水門）６は、支柱６Ａ〜６Ｄのうち、一方の側壁３Ａの支柱６Ａと他方の側壁３近傍の支柱６Ｃと分水壁７の支柱６Ｄとを備えて構成される。第２のゲート（水門）８は、他方の側壁３Ｂの支柱６Ｂと他方の側壁３近傍の支柱６Ｃとを備えて構成される。支柱６Ａ、６Ｄ間が分水口４の開口幅寸法Ｗｄ１、支柱６Ｃ、６Ｄ間が通水口５の開口幅寸法Ｗｐ１となっている。
【００７９】
第１のゲート６は、一枚板からなる矩形状の潜流調整板（潜流調整部材）１０を備え、この潜流調整板１０は、支柱６Ａ、６Ｃ間に上下に変位可能に差し入れられる。水路のゲートが通常に使用されている潜り流出の場合、潜流調整板が用いられる。潜流調整板１０の横幅寸法Ｗ１は両端が両支柱６Ａ、６Ｃの縦溝（図示せず）に嵌め入れられる寸法となっている。潜流調整板１０の縦寸法（上下方向寸法）Ｈ１は、水路３の設計水位の高さ寸法Ｌｌｍｔとほぼ同じか長寸に形成され、水平な下端面１０Ａが水路３の水路底面に接して、潜流調整板１０が閉じられても上端部１０Ｂからの越流を阻止するようになっている。潜流調整板１０と上枠６Ｅとの間には、調整ロッド１１が設けられる。調整ロッド１１は上端が上枠６Ｅを貫通し、下端が潜流調整板１０の上端部１０Ｂに回動自在に連結される。調整ロッド１１は、上側がねじ切りされ、上枠６Ｅに形成されたねじ孔に螺合し、回動操作により潜流調整板１０を上下動させるようになっている。調整ロッド１１の上端は角形に形成され、この上端角形部に工具（操作部）を嵌め入れて回動操作するようになっている。支柱６Ａ、６Ｃおよび上枠６Ｅ（支持枠）と調整ロッド１１とにより潜流調整板１０を上下動させる変位手段（変位装置）が構成される。また、潜流調整板１０の下流側の面１０Ｃは、分水壁７の支柱６Ｄの支持部（図示せず）に当接して支持される。このため、潜流調整板１０の上流側面１０Ｄにかかる圧力は、支柱６Ａ、６Ｃ、６Ｄにより支持されるようになっている。第１のゲート６は、支柱６Ａ、６Ｃ、６Ｄと上枠６Ｅと潜流調整板１０と調整ロッド１１とにより、分水口４と通水口５の一部とを、ともに同一の開度で開き下方で水流の通過を許容し上端からの越流を阻止して、分水口４と通水口５の一部を通過する水流を制御するようになっている。
【００８０】
なお、潜流調整板１０の開度について、開度０％とは、潜流調整板１０により分水口４と通水口５とを完全に閉じて潜流を生じさせない状態をいう。開度１００％とは、潜流調整板１０の下端面１０Ａが上流側の実際の水位（上流側幹線水路２０の水位）とほぼ同一高さに位置して上流側幹線水路２０からの流水を潜流調整板１０の面でブロックすることなく全量円滑に下流側に流下させる状態をいう。潜流調整板１０は潜流を生じさせる機能を果たすものであり、本実施例では、潜流調整板１０の開度、すなわち、第１のゲート６の開度は、上流側水位に対する水路底面３Ｃからの潜流調整板下端面１０Ａの高さの比率により決定される。たとえば、開度５０％ならば、潜流調整板１０の下端面１０Ａが上流側水位の半分の高さに位置していることになる。
【００８１】
第２のゲート８は、一枚板からなる矩形状の堰上げ板（越流板）１２を備え、この堰上げ板１２は、通水口５の一部である支柱６Ｂ、６Ｃ間に差し入れられる。堰上げ板１２は、複数の板を支柱６Ｂ、６Ｃの縦溝（図示せず）に嵌め入れ、上下に重ねて水路底面からの高さＨ２を調整できるようになっている。この堰上げ板１２は、最大高さ寸法が水路３の設計水位の高さ寸法Ｌｌｍｔを超えないようになっており、上端越流部１２Ａから下流側に水を越流させ上端越流部１２Ａの上下位置に応じて上流側の水位を調整するようになっている。この第２のゲート８は、支柱６Ｂ、６Ｃと堰上げ板１２とにより上流側の水位を制御する水位制御装置を構成している。こうして、第１のゲート６と第２のゲート８とにより、分水口４と通水口５とを通過する水流を制御する流量制御装置が構成される。なお、水位制御装置は、支柱６Ｂ、６Ｃと堰上げ板１２とにより構成される第２のゲート８に代えて、図示しない開閉板を上下に開閉させるスルースゲート（図示せず）により構成してもよい。
【００８２】
分水壁７は、水路３の側壁３Ａに沿って下流に延びて支線水路（支線）２１を構成し、後端は側壁３Ａに接続され、この支線水路２１は水路３から分岐するようになっている。分水壁７と水路３の他方の側壁３Ｂとの間は、分水後の幹線水路２２となっている。符号２０は、分水前の幹線水路である。これら分水口４と通水口５とに設けられた第１第２のゲート６、８より上流側の幹線水路２０には、余水吐２３が設けられる。
【００８３】
第１のゲート６は、上述のように潜流調整板１０を調整ロッド１１により上下させ、水路３の平坦な水路底面３Ｃと潜流調整板１０の下端面１０Ａとの間に形成される開口から分水口４側の支線水路２１と通水口５側の幹線水路２２とに通水させるようになっている。すなわち、水路３の水路底面３Ｃと潜流調整板１０の下端面１０Ａとの間の高さ寸法をＨ３とすると、分水口４側の開口Ａｄでは、開口幅寸法Ｗｄ１×高さ寸法Ｈ３が水流の開口面積Ａｄ１（Ａｄ１＝Ｗｄ１×Ｈ３）となり、通水口５側の開口Ａｐでは、開口幅寸法Ｗｐ１×高さ寸法Ｈ３が水流の開口面積Ａｐ１（Ａｐ１＝Ｗｐ１×Ｈ３）となる。このとき、分水口４側の支柱６Ａ、６Ｄ間の開口幅寸法Ｗｄ１および通水口５側の支柱６Ｃ、６Ｄ間の開口幅寸法Ｗｐ１とも、予め設計プランに応じて決定され一定なので、潜流調整板１０の下端面１０Ａの高さＨ３が通過する水流の流量を決定する変数となる。しかも、潜流調整板１０は両口４、５にわたって一体に変位するので、分水口４側開口面積Ａｄ１と通水口５側開口面積Ａｐ１は、高さＨ３に応じて常に一定の比率で変化する。つまり、第２のゲート８の越流を阻止したとすると、分水比（分水比＝分水量／通水量）または取水比（取水比＝分水量／送水量）は、潜流調整板１０が上下方向のどの位置にあっても、常に一定となる。そして、ゲート開度比（ゲート開度比＝ゲートにより開かれた分水口の開口面積／ゲートにより開かれた通水口の開口面積）も常に一定となる。このため、第２のゲート８の越流を阻止すれば、潜流調整板１０をどの上下位置に変位させても、支線水路２１の取水流量と幹線水路２２の通水流量との分水比率（または取水比率）を一定にし、機械的に配分操作することができるようになっている。
【００８４】
これに対し、第２のゲート８の堰上げ板１２は、第１のゲート６が支線水路２１と幹線水路２２との分水比率を一定にし、恣意性を排除して機械的に配分操作するのに対し、幹線水路２２の通水量を分水比率に基づく水量より多くして幹線水路２２を優先させる役割を果たす。すなわち、図５に示すように、上流側幹線水路２０の水位Ｌｆ１（Ｌｆ１は渇水時または平水時の水位）が、潜流調整板１０の下端面１０Ａのレベルより上方に達し、しかも、第２のゲート８の堰上げ板１２の上端越流部１２Ａの高さＨ２がこの水位Ｌｆ１より高いと（Ｈ３＜Ｌｆ１＜Ｈ２）、すなわち、渇水時や平水時には、幹線水路２０側の水は、堰上げ板１２によりブロックされて、上述のように、支線水路２１側の取水流量と幹線水路２２側の通水流量とは予め決められた一定の分水比率（または取水比率）で配分される。ところが、第２のゲート８の堰上げ板１２の上端越流部１２Ａの高さＨ２が余裕時の水位Ｌｆ２より低いと（Ｈ３＜Ｈ２＜Ｌｆ２）、すなわち、余裕時には、潜流調整板１０により一定の分水比率で配分操作がなされた通水口５側開口Ａｐを通過する潜流の水量に加え、上端越流部１２Ａから越流する水流も下流側幹線水路２２に合流して水量が増大する。下流側幹線水路２２の水位は、通水口５側開口Ａｐを通過する潜流の水量に上端越流部１２Ａから越流する水量を加えた量により決定される。こうして、上流側幹線水路２０の水位Ｌｆ２が、第２のゲート８の堰上げ板１２の上端越流部１２Ａの高さＨ２を越えると、幹線水路２２側の水量を増やし、支線水路２１側は、分水比率に基づいた量のみ取水されるようになっている。従って、堰上げ板１２の上端越流部１２Ａ（上端越流部高さＨ２）は、必ず、潜流調整板１０の下端面１０Ａ（下端面高さＨ３）より上方に位置していなければならない（Ｈ２＞Ｈ３）。もし、堰上げ板上端越流部１２Ａが潜流調整板下端面１０Ａより下方にあると、通水口５側は、潜流調整板１０による開口Ａｐからだけでなく下端面１０Ａのレベルより低い上端越流部１２Ａからも通水されてしまい、分水比率を一定に保つことができなくなるからである。言い換えれば、渇水時あるいは平水時には一定の分水比率を確保するというルールに対し、堰上げ板１２の上端越流部１２Ａを潜流調整板１０の下端面１０Ａのレベルより下方に位置させた場合、渇水時あるいは平水時に支線水路２１側の取水流量より幹線水路２２側の通水流量を優先させることになる。これら配分操作の考え方は、通水側利用者と分水側利用者との話し合いにより変更されることもあり、本実施例に係る構成では、いずれにも対応が可能となっている。
【００８５】
ところで、上記第１の実施例に係る水路の分水機構２では、上述のように、第２のゲート８の堰上げ板１２が流水をブロックした場合、開口面積比を分水比に一致させて第１のゲート６が支線水路２１と幹線水路２２との分水比率を一定にし、恣意性を排除して機械的に配分操作するようにしているが、実際の水路３では、開口面積比が正確に分水比に合致しないことがある。その理由は、縮流係数と流速分布の偏りによるものである。この縮流係数と流速分布の偏りにより、開口面積比と分水比の間にずれが生じる。そこで、本実施例に係る水路の分水機構２では、縮流係数と流速分布の偏りによるずれを補正してより正確に分水比率を一定とするようにしている。すなわち、開口面積比と分水比の間に生じるずれの大きさを予め水理実験で求め、計画している所望の分水比率に合致するよう開口面積比を補正するようにしている。このような補正を行うことにより分水比の精度の向上を図ることができる。開口面積比の補正は、潜流調整板１０の下端面１０Ａの分水口４側または通水口５側のいずれかに切り欠き溝を形成してもよいし、潜流調整板１０下部の分水口４側または通水口５側のいずれかに孔を穿設するようにしてもよい。
【００８６】
第１第２のゲート６、８より下流側の支線水路２１と幹線水路２２とには、第３のゲート（水門）３０が設けられる。第３のゲート３０は、両側壁３Ａ、３Ｂと分水壁７とにそれぞれ水路３の幅方向を一致させて設置された支柱３１Ａ、３１Ｂ、３１Ｃを備えて構成される。支柱３１Ａ、３１Ｃの向かい合う面に形成された縦溝（図示せず）には、複数の板を上下に重ねた支線水路側堰上げ板３２が、支柱３１Ｂ、３１Ｃの向かい合う面に形成された縦溝（図示せず）には、複数の板を上下に重ねた幹線水路側堰上げ板３３が、それぞれ差し入れられる。これら各堰上げ板３２、３３はそれぞれ、上流側の堰上げ板１２の高さＨ２を超えないようになっており、上端越流部３２Ａ、３３Ａから下流側に水を越流させ上端越流部３２Ａ、３３Ａの上下位置に応じて上流側の水位を調整するようになっている。すなわち、支線水路２１の堰上げ板３２は、上端越流部３２Ａの上下位置に応じて支線水路２１の堰上げ板３２より上流側の水位を、幹線水路２２の堰上げ板３３は、上端越流部３３Ａの上下位置に応じて幹線水路２２の堰上げ板３３より上流側の水位をそれぞれ調整するようになっている。これら各堰上げ板３２、３３はそれぞれ独立に高さが調整される。
【００８７】
なお、上記第１の実施例に係る水路の分水機構では、支持枠６Ｅを水路３の全幅にわたって設けているがこれに限られるものではなく、支持枠を固定する基礎を確保することができれば、第２のゲート８上方に設ける必要はなく、その部分を省略してもよい。しかしながら、ゲート操作と管理の足場を確保する必要がある場合には、水路３の全幅にわたって設け、作業者が対岸に移動可能とすることが好ましい。
【００８８】
次に、本実施例に係る水路の分水機構２の作用について、第１第２のゲート６、８の動作に基づいて説明する。本実施例に係る水路の分水機構２は、潜流調整板１０の開閉により形成される分水口４側開口面積Ａｄ１と通水口５側開口面積Ａｐ１に基づいて分水比率が決定されるので、予め計画供給水量について取水側水路２１の利用者と通水側水路２２の利用者の合意を得て分水比率を決定する。分水比率が決定すると、予め水理実験を行い、縮流係数と流速分布の偏りによるずれの大きさを、すなわち、流量係数を求め、求められたずれの大きさ、すなわち、流量係数に基づいて決定された分水比率に合致するよう開口面積比を補正する。第１のゲート６の潜流調整板１０の開度が分水比率に対応しているので、上流側幹線水路２０の水位（Ｌｆ１、Ｌｆ２）に応じて、第１のゲート６の調整ロッド１１を操作して潜流調整板１０の上下位置を調整し、潜流調整板１０の下端面１０Ａの水路底面３Ｃからの高さＨ３が上流側水位（Ｌｆ１、Ｌｆ２）のレベル以下にあって、分水口側開口面積Ａｄ１により分水口４側が決められた取水流量を確保できる位置に潜流調整板１０を保持する。次に、余裕時の通水側優先取り分を最大送水量を参考に決定し、これに波、風による吹き寄せを考慮して、第２のゲート８の堰上げ板１２の上端越流部１２Ａ上限高さを決定する。上端越流部１２Ａの下限高さは、利水面でなく、非常時の安全を配慮し、費用を勘案して、経済的な最も低い値を採用する。すなわち、上流側幹線水路２０の水位Ｌｆ１〜Ｌｆ２がどの高さの水位に達すると、第２のゲート８は越流を許容するか決定する。堰上げ板１２は、複数の板を順次重ねて高さを調整するようになっている。
【００８９】
こうして、第１のゲート６の潜流調整板１０の上下方向位置、すなわち、下端面１０Ａの水路底面３Ｃからの高さＨ３が決められ、第２のゲート８の堰上げ板１２の上端越流部１２Ａの水路底面３Ｃからの高さＨ２が決められると、上流側幹線水路２０の水位が第２のゲート８の堰上げ板１２の上端越流部１２Ａより低く、越流が生じない場合、第１のゲート６の潜流調整板１０の開度に応じて、一定の分水比率（取水比率）で分水口４側と通水口５側とに分水と通水とが行われ、この分水比率に応じた通水量が下流側幹線水路２２に、取水量が支線水路２１にそれぞれ取り込まれることになる。上流側幹線水路２０の水位が第２のゲート８の堰上げ板１２の上端越流部１２Ａより高く、越流が生じる場合、支線水路２１には分水比率に応じた取水流量のみが流下するのに対し、下流側幹線水路２２には、上記一定の分水比率に応じた通水量に越流した分の水量が加わることになる。このように、本実施例に係る水路の分水機構２では、上流側幹線水路２０の水位が第２のゲート８の堰上げ板１２の上端越流部１２Ａの水路底面３Ｃからの高さＨ２以下では、すなわち、渇水時や水量減少時には、第１のゲート６の潜流調整板１０の開度（水路３の水路底面３Ｃと潜流調整板１０の下端面１０Ａとの間の開口高さＨ３）に応じた水量で、常に一定の分水比率（取水比率）で分水口４側と通水口５側とに分水と通水とが行われる。他方、上流側幹線水路２０の水位が上端越流部１２Ａの水路底面３Ｃからの高さＨ２以上では、すなわち、余裕時や水量余剰時には、潜流調整板１０の開口高さＨ３に応じた水量で、常に一定の分水比率（取水比率）で分水口４側と通水口５側とに分水と通水とが行われるのに加え、通水口５側には、堰上げ板１２の上端越流部１２Ａからの越流分が流れ込む。つまり、分水口４側では、余裕時や水量余剰時であっても、渇水時や水量減少時と同様に、第１のゲート６の潜流調整板１０の開度（開口高さＨ３）に応じた水量が取り込まれるのに対し、通水口５側では、第１のゲート６の潜流調整板１０の開度（開口高さＨ３）に応じた水量に加え、上端越流部１２Ａからの越流分が取り込まれる。このため、余裕時や水量余剰時には、通水口５側、すなわち、幹線水路２２への通水流量が増大され、幹線水路２２の下流側が優先されるようになっている（図６参照）。
【実施例２】
【００９０】
次に、本発明の第２の実施例に係る水路の分水機構１０２について説明する。本発明の第２の実施例に係る水路の分水機構１０２は、上記第１の実施例に係る水路の分水機構２が、大規模な水路に適用されるのに対し、小規模の水路に適用されるもので、複数のゲートを用いることなく、単一のゲートで、渇水・平水時でも水を確実に一定の分水比で配分操作するようにしている点が異なっている。本実施例に係る水路の分水機構１０２は、図７および図８に示すように、コンクリート製の水路１０３には同一水路面に分水口１０４と通水口１０５とが形成される。
【００９１】
水路１０３の分水口１０４は、水路１０３の一方の側壁１０３Ａから水路１０３の幅方向に立設された壁（越流阻止部）１０８の下部に矩形状に形成される。壁１０８の水路中央側端部１０８Ａは、側壁１０３Ａに沿って平行に下流側に延び支線水路１２１を形成する隔壁１０７の上流側端部に接続される。すなわち、支線水路１２１には、上流側水位に関係なく分水口１０４からのみ水が流入するようになっている。壁１０８と他方の側壁１０３Ｂとの間に通水口１０５が形成される。通水口１０５の水路幅方向寸法Ｗｐ２は、分水口１０４の水路幅方向寸法Ｗｄ２より長寸となっている。水路面を同一に配置されたこれら分水口１０４と通水口１０５とには、単一のゲート１０６が設けられる。ゲート１０６は、両側壁１０３Ａ、１０３Ｂにそれぞれ幅方向を一致させて形成された各縦溝（ガイド）１０９Ａ、１０９Ｂにそれぞれ両端が嵌め入れられる矩形状の潜流調整板１１０と越流調整板１１１とを備えている。これら矩形状の各板１１０、１１１はそれぞれ縦溝に沿って上下動するようになっている。壁１０８の上流側平坦面１０８Ｂ側には、この面１０８Ｂに沿って摺動し分水口１０４を開閉する潜流調整板１１０が、この潜流調整板１１０の上流側には、越流調整板１１１がそれぞれ重なり合って配置され、これら潜流調整板１１０と越流調整板１１１は互いに上下に相対変位可能になっている。これら潜流調整板１１０と越流調整板１１１とはそれぞれ、同一の縦寸法Ｈ１０、Ｈ１１を有するようにするか、越流調整板１１１の縦寸法Ｈ１１を潜流調整板１１０の縦寸法Ｈ１０より長寸となるようにしている（Ｈ１１≧Ｈ１０）（図９の（Ａ）参照）。縦寸法Ｈ１０、Ｈ１１の大きさには絶対的な制約はないが、まず、潜流調整板１１を制御し、次に、越流調整板１１１の越流高さを制御するのであれば、Ｈ１１≧Ｈ１０が制御しやすい。また、この条件で、越流制御板１１１の高さの制御範囲を最大にとるのであれば、Ｈ１１＝Ｈ１０が望ましい条件になるので、以下、Ｈ１０＝Ｈ１１の場合について説明する。これら縦寸法Ｈ１０、Ｈ１１はそれぞれ、水路の設計水位の高さ寸法Ｌｌｍｔより短寸となっている。本実施例では、これら潜流調整板１１０と越流調整板１１１とが重なり合った面積が最小となるように配置された際、すなわち、潜流調整板１１０が最も下方に位置し、越流調整板１１１が最も上方に位置する状態で設定水路面をほぼ覆って重なり合うようそれぞれ高さ寸法が設計水位の高さＬｌｍｔに対してほぼ半分の寸法より若干長寸の縦寸法を有している（Ｈ１０＝Ｈ１１＞（Ｌｌｍｔ×１／２＋ｅ）ｅは重なり分。）。
【００９２】
これら潜流調整板１１０と越流調整板１１１とはそれぞれ、調整ロッド１１３、１１４を介して水路１０３上に設けられた支持枠１１２に接続される。一方の調整ロッド１１３は、下端が潜流調整板１１０の上端部１１０Ｂに回動自在に取り付けられ、上端が支持枠１１２の上枠部１１２Ａを貫通して突出している。他方の調整ロッド１１４は、下端が越流調整板１１１の上端部１１１Ｂに回動自在に取り付けられ、上端が支持枠１１２の上枠部１１２Ａを貫通して突出している。各調整ロッド１１３、１１４は、上側がねじ切りされ、上枠部１１２Ａに形成されたねじ孔に螺合し、回動操作により潜流調整板１１０と越流調整板１１１をそれぞれ上下動させるようになっている。寸法の異なる各調整ロッド１１３、１１４の上端は角形に形成され、この上端角形部に工具を嵌め入れて回動操作するようになっている。支持枠１１２と調整ロッド１１３、１１４とにより潜流調整板１１０と越流調整板１１１を上下動させる変位手段が構成される。
【００９３】
さらに、潜流調整板１１０の下端面１１０Ａには、越流調整板１１１側に突出するストッパ１１０Ｃが設けられ、越流調整板１１１はその下端面１１１Ａが常時、潜流調整板１１０の下端面１１０Ａと同一の高さかまたはその下端面１１Ａより上方に変位可能になっている。すなわち、水路１０３の水路底面１０３Ｃと潜流調整板１１０の下端面１１０Ａとの間の高さ寸法をＨ１１０、水路底面１０３Ｃと越流調整板１１１の下端部１１１Ａとの間の高さ寸法をＨ１１１とすると、Ｈ１１１≧Ｈ１１０が成立するようになっている。さらに、越流調整板１１１が最も上方の位置にあり、潜流調整板１１０が最も下方の位置にある場合（図９の（Ｄ）参照）でも、これら両潜流調整板１１０と越流調整板１１１との間には隙間が生じないよう必ず重なる部分（重なる部分の上下方向長さＯＬ、重なる部分が最小の場合の上下縦方向長さＯＬ１、重なる部分が最大の場合の上下方向長さＯＬ２（ＯＬ１＜ＯＬ、ＯＬ＜ＯＬ２））が形成されるようになっている。つまり、これら両潜流調整板１１０と越流調整板１１１により水路面を塞ぐ最大上下方向長さＨmax１は、両縦寸法Ｈ１０、Ｈ１１を加えた長さから重なる部分が最小の場合の上下方向長さＯＬ１を減じた長さ、すなわち、Ｈmax１＝（Ｈ１０＋Ｈ１１）−ＯＬ１となっている。他方、これら両潜流調整板１１０と越流調整板１１１により水路面を塞ぐ最小上下方向長さＨmin１は、これら両潜流調整板１１０と越流調整板１１１とが上下端を揃えて重なった場合の長さ、すなわち、Ｈmin１＝Ｈ１０＝Ｈ１１となり、このとき重なる部分は最大の上下方向長さＯＬ２となる。このように、本実施例に係る水路の分水機構１０２では、潜流調整板１１０と越流調整板１１１との２体により形成される水路面を塞ぐ扉は、上下方向長さが可変となるとともに、所望の上下方向長さでかつ一体に上下位置を変えることができるようになっている。従って、上流側の水位が低い渇水・平水時には、これら両板１１０、１１１を最大の上下方向長さＯＬ２で重なり合うようにし、ゲート１０６の扉の縦方向長さを両板１１０、１１１の縦寸法Ｈ１０、Ｈ１１と実質的に同一とし、分水口１０４と通水口１０５とにはそれぞれ潜流のみ流出するのを許容し、越流を阻止するようにしている（図９の（Ｃ）参照）。そして、上流側の水位が高い余裕時には、上流側の水位に関係なく、上下方向の位置を変えて通水口１０５側に越流させることも越流を阻止することもできるようになっている（図９の（Ａ）、（Ｂ）参照）。
【００９４】
また、本実施例に係る水路の分水機構１０２では、越流調整板１１１が上下方向のどの位置にあっても、壁１０８により分水口１０４側への越流が阻止されるようになっている。また、潜流調整板１１０は、上下方向の位置を変えて分水口１０４の開度を調整することができるとともに、分水口１０４を塞ぐこともできるようになっている。
【００９５】
第２の実施例に係る水路の分水機構１０２では、ゲート１０６の潜流調整板１１０の上下方向位置、すなわち、下端面１１０Ａの水路底面１０３Ｃからの高さＨ１１０が分水口１０４の高さＨ１０４の範囲内で決められ、越流調整板１１１が潜流調整板１１０と同一の上下方向位置にあるか潜流調整板１１０より上方に位置した状態で、上流側幹線水路１２０の水位が上端越流部１１１Ｂより低く、越流が生じない場合（図９の（Ｂ）、（Ｃ）、図１０のケース番号ＩＩＩ参照）、ゲート１０６の潜流調整板１１０の水路底面１０３Ｃからの高さＨ１１０に応じて、一定の分水比率（取水比率）で分水口１０４側と通水口１０５側とに分水と通水とが行われ、この分水比率に応じた通水量が下流側幹線水路１２２に、取水量が支線水路１２１にそれぞれ取り込まれることになる。上流側幹線水路１２０の水位が越流調整板１１１の上端越流部１１１Ｂより高く、越流が生じる場合（図９の（Ａ）、（Ｄ）、図１０のケース番号ＩＶ参照）、支線水路１２１には予め決められた分水比率に応じた取水流量のみが流下するのに対し、下流側幹線水路１２２には、上記一定の分水比率に応じた通水量に越流した分の水量が加わることになる。
【００９６】
潜流調整板１１０の下端面１１０Ａの水路底面１０３Ｃからの高さＨ１１０が分水口１０４の高さＨ１０４を越え、潜流調整板１１０が分水口１０４より上方に位置し、越流調整板１１１が潜流調整板１１０と同一の上下方向位置にあるか、潜流調整板１１０より上方に位置した状態で、上流側幹線水路１２０の水位が上端越流部１１１Ｂより低く、越流が生じない場合（図１０のケース番号Ｖ参照）、上流側水位が分水口１０４の高さＨ１０４より低いと、水位に応じた量が分水口１０４の流下面と通水口１０５の流下面とに応じて分配される。このとき、分水比（取水比）は一定となるが、潜流調整板１１０は予め決められた分水比確保に寄与するものではなく、分水口１０４の流下面と通水口１０５の流下面とにより分水比は決定され一定となる。上流側幹線水路１２０の水位が、分水口１０４の高さＨ１０４より高いと、分水口１０４には、分水口１０４の面積に応じた一定の量のみが流下する一方、通水口１０５側には潜流調整板下端面１１０Ａの高さＨ１１０に応じた潜流が流下する。このため、分水比は不定で、下流側幹線水路１２２への通水量が予め設定された分水比による通水量より増大する（図１０のケース番号ＶＩ参照）。さらに上流側水位が高くなり、越流調整板１１１から越流があると、分水口１０４側は一定の量が流下するのに対し、通水口１０５側では、越流分も加わり、幹線側下流域への通水が優先される（図１０のケース番号ＶＩＩ参照）。なお、潜流調整板１１０が最下方位置で分水口１０４を塞いだ場合、越流調整板１１０から越流がなければ、分水口１０４と通水口１０５とのいずれにも水は流れることがない（図１０のケース番号Ｉ参照）。越流調整板１１０から越流があると、分水口１０４には水が流れないものの、通水口１０５には越流分がすべて流れることになる（図１０のケース番号ＩＩ参照）。
【００９７】
このように、第２の実施例に係る水路の分水機構１０２は、渇水・平水時等、上流側水位が低い場合、潜流調整板１１０の下端面１１０Ａの高さＨ１１０が分水口１０４の高さＨ１０４の範囲内にあるときであって、越流調整板１１１から下流側幹線水路１２２への越流がない場合、分水比（取水比）は予め設定された一定の値を保持することができる。余裕時等、上流側水位が高い場合であって、下流側幹線水路１２２への越流がある場合、越流分は分水口１０４に流れ込むことがなく、すべて下流側幹線水路１２２へ流れ込むので、下流側幹線水路１２２側が優先されることになる。また、余裕時であって、潜流調整板１１０が分水口１０４の上方に位置し、上流側水位が分水口１０４の高さＨ１０４より高い場合、支線水路１２１側には分水口１０４の開口面積に応じた一定の水量が分水され、残りの水量は下流側幹線水路１２２側に通水される。上流側水位が分水口１０４の高さＨ１０４より低い場合、分水口１０４と通水口１０５とには、それぞれの水路幅に応じた水量が分配される。このように、分水口１０４側には越流による水の流入がなく、潜流調整板１１０を通じてのみ分水されるので、通水口１０５側下流の流量が分水口１０４側下流の流量より優先される。
【００９８】
なお、本実施例では、潜流調整板１１０と越流調整板１１１とのそれぞれの縦寸法Ｈ１１０、Ｈ１１１を同一としているがこれに限られるものではなく、予め決定された通水量や分水量に応じていずれか一方を長寸に他方を短寸に構成してもよいことはいうまでもない。さらに、上記実施例では、潜流調整板１１０と越流調整板１１１との縦寸法をそれぞれ、設計水位の高さＬｌｍｔに対してほぼ半分の寸法より若干長寸としているが、これに限られるものではなく、上端越流部の越流位置を低くするか潜流面を増大させるには、両板の縦寸法を縮寸させてもよい。また、ゲート１０６の扉を潜流調整板１１０と越流調整板１１１との２枚の板により構成しているがこれに限られるものではなく、２枚以上の板により構成してもよい。また、本実施例では、支線水路１２１側への越流を阻止する越流阻止部１０８を設けているが、これに限られるものではなく、壁１０８に代えて下流側幹線水路１２２と支線水路１２１とを流れ方向に隔てる隔壁を設け、分水口１０４側にも越流調整板１１１からの越流を許容するようにしてもよい（図１１の第３の実施例参照）。さらに、支線水路１２１側への越流を阻止する越流阻止部として水路１０３側に壁１０８を形成しているが、これに限られるものではなく、支持枠１１２側または越流調整板１１１側に支線水路１２１への越流を阻止する越流阻止板（越流阻止部）を設け、支線水路１２１側への越流を阻止するようにしてもよい。
【実施例３】
【００９９】
次に、本発明の第３の実施例に係る水路の分水機構２０２について説明する。本発明の第３の実施例に係る水路の分水機構２０２は、上記第２の実施例に係る水路の分水機構１０２が、越流阻止部（壁１０８）を設けて支線水路１２１側への越流を阻止するようにしているのに対し、箱部２０７により支線水路側への越流を阻止する点が異なっている。本実施例に係る水路の分水機構２０２は、図１１ないし図１３に示すように、パイプラインの調整スタンドに適用した例を示す。上流側パイプライン２２０と角箱状調整スタンド（調整水槽）２０３の分水口２０４と通水口２０５より上流側水槽部分２０３Ａが上流側幹線水路に、下流側パイプライン２２２と調整スタンド２０３の通水口２０５より下流側水槽部分２０３Ｂが下流側幹線水路にそれぞれ相当し、調整スタンド２０３の分水口２０４と通水口２０５とを区画するとともに調整スタンド２０３の一側面２０３Ｄに接続される箱部２０７の室内２０８と一側面２０３Ｄに開口する分岐パイプライン２２１とが支線水路に相当する。
【０１００】
本実施例に係る水路の分水機構２０２は、調整スタンド２０３の一側面２０３Ｄに、上流側下部が開口され分水口２０４を形成する箱部２０７が設けられる。箱部２０７の流れ方向に沿って形成された壁部２０７Ａにより分水口２０４と通水口２０５とが同一水路面上に形成される。箱部２０７の分水口２０４の上方には、上流側壁面２０７Ｂが形成され、越流調整板２１１から室内２０８への越流を阻止するようになっている。これら分水口２０４と通水口２０５とにわたって上記第２の実施例と同様に潜流調整板２１０と越流調整板２１１が設けられる。分水口２０４と通水口２０５とは同一水路面上に形成され、下流側パイプライン２２２への流下を優先させるため、通水口２０５の水路幅方向寸法Ｗｐ３は分水口２０４の水路幅方向寸法Ｗｄ３より長寸となっている（Ｗｐ３＞Ｗｄ３）。本実施例では、上記第２の実施例とは逆に、上流側に潜流調整板２１０が、下流側に越流調整板２１１がそれぞれ摺動自在に重なって配置される。これら各板２１０、２１１は図示しない変位手段により互いに上下に相対変位可能になっている。本実施例に係る分水機構２０２では、上流側パイプライン２２０から流入した水は、上流側水槽部分２０３Ａに流れ込む。上流側水槽部分２０３Ａの水位Ｌｐ１は越流調整板２１１の上端越流部２１１Ｂの上下方向位置により制御される。このため、越流が生じなければ、分水口２０４側と通水口２０５側への水の分配は、潜流調整板２１０を通じてのみ行われ、予め決められた一定の分水比（取水比）で分岐パイプライン２２１と下流側パイプライン２２２とに分水と通水がそれぞれ行われる。越流を許容する場合、越流調整板２１１からの越流分は、下流側水槽部分２０３Ｂの下流側パイプライン２２２に連通する室２０９のみに流入する。なお、分水量の制御において、取水水位の水圧が必要な場合、越流が生じるか生じないかの限界まで最小の開度に設定されるようになっている。すなわち、閉塞面積を越流が生じない最大面積とするようにしている。一般の水路と異なり調整スタンド２０３では、越流に伴い生じる空気連行がサージングの原因ともなりうるが、送水量の主たる部分は潜流調整板２１０による潜流で実現されるため、空気連行を小さく抑えることができ、調整スタンド２０３のサイズを小さくすることができ、コストダウンを図ることができる。
【０１０１】
上記第３の実施例に係る水路の分水機構２０２では、図１１に示すように、潜流調整板２１０により分水口２０４と通水口２０５を閉じて、上流側水槽部分２０３Ａの水位Ｌｐ１が上昇すると、越流調整板２１１からの越流が下流側パイプライン２２２側の室２０９のみに流れ込む（図１４のケース番号Ｉ参照）。潜流調整板２１０の開度が最大（水路底面２０３Ｃからの下端面２１０Ａまでの高さＨ２１０が最大、すなわち、分水口２０４の高さと同一）となるまでの範囲では、越流調整板２１１からの越流がない場合、潜流調整板２１０からの潜流のみにより分水と通水が行われるので、分水比（取水比）は予め設定された一定の値となる（図１４のケース番号ＩＩ参照）。越流調整板２１１からの越流がある場合、潜流により分岐パイプライン２２１側の室２０８と下流側パイプライン２２２側の室２０９とにはそれぞれ、一定の分水比で分配される一方、これら一定の分水比での配水に加え、下流側パイプライン２２２側の室２０９には、越流分が加えられる。（図１４のケース番号ＩＩＩ参照）。このように越流がない場合、分水口２０４側と通水口２０５側とには、一定の分水比で対等に分水と通水が行われ、越流がある場合、下流側パイプライン２２２側への流下が優先されるようになっている。
【実施例４】
【０１０２】
次に、本発明の第４の実施例に係る水路の分水機構３０２について説明する。本発明の第４の実施例に係る水路の分水機構３０２は、上記第１第２の実施例に係る水路の分水機構２、１０２がそれぞれ、大規模な水路と小規模な水路とに適用されるのに対し、すでに設けられている既存の水路を利用して適用するもので、図１５に示すように、分水口３０４を上流側幹線水路３２０の側壁３２０Ａに形成し、通水口３０５を分水口３０４より下流側の下流側幹線水路３２２の水路面に配し、これら分水口３０４と通水口３０５とにそれぞれ別体で上下方向に変位し所望の位置で保持される潜流調整板３１０、３１１を設置した点が異なっている。すなわち、既存の水路では、通水口３０５の部位に下流側幹線水路３２２の水位制御と通水量制御を同時に行うため、越流を許容する越流調整ゲート（越流堰、越流板）または潜流を許容する第１の潜流調整ゲートを設け、支線水路３２１側の分水口３０４には、潜流を許容し第１の潜流調整ゲートと独立に上下に変位する第２の潜流調整ゲートを設け、上流側幹線水路３２０と連絡水路３３１との間には余水吐を設けている。これに対し、本実施例に係る水路の分水機構３０２では、通水口３０５と分水口３０４とにそれぞれ、潜流のみを許容する潜流調整板３１０、３１１を設け、余水吐に代えて連絡開口部３３０を水路底面３０３Ｃまで削り取って形成し、連絡水路３３１と下流側幹線水路３２２との間には、越流を許容する越流調整板３３５を設け、連絡水路３３１と排水連絡水路３３３との間には、余水吐３３４を形成した点が異なっている。
【０１０３】
本実施例に係る水路の分水機構３０２は、上流側幹線水路３２０の一方の側壁３２０Ａに分水口３０４が形成される。分水口３０４は支線水路３２１に接続される。分水口３０４の底部は通水口３０５の底部と同様に水路３０３の水路底面３０３Ｃと合致している。分水口３０４には、矩形状の支線側潜流調整板３１０が後述する開度調整装置（変位手段）３０６により上下方向に変位可能に配置される。支線側潜流調整板３１０は、上端からの越流を許さないよう高さ寸法は分水口３０４の高さに準じた寸法となっている。支線側潜流調整板３１０は水路底面３０３Ｃより上方で保持されると、水路底面３０３Ｃとの間に形成される空隙Ｓ３１０（図１６参照）から支線水路３２１側に潜流を導くようになっている。支線水路３２１には、支線側潜流調整板３１０の下流側に、手動で操作される非常時用の止水ゲートや角落し（図示せず）が設置される。
【０１０４】
下流側幹線水路３２２で分水口３０４地点より下流側の通水口３０５には、矩形状の幹線側潜流調整板３１１が開度調整装置３０６により上下方向に変位可能に配置される。幹線側潜流調整板３１１は、上端からの越流を許さないよう高さ寸法は通水口３０５の高さに準じた寸法となっている。幹線側潜流調整板３１１は水路底面３０３Ｃより上方で保持されると、水路底面３０３Ｃとの間に形成される空隙Ｓ３１１から下流側幹線水路３２２側に潜流を導くようになっている。これら両潜流調整板３１０、３１１は、開度調整装置３０６により同期して同一の開度で開口するようになっている。開度調整装置３０６は、各潜流調整板３１０、３１１の上端部に回動可能に設けられ支持枠に螺合される両調整ロッドを同期させて回動させる回動機構（図示せず）を備えている。このため、両潜流調整板３１０、３１１は独立して操作することができないようになっている。
【０１０５】
上流側幹線水路３２０の他方の側壁３２０Ｂには、分水口３０４に向かい合って連絡開口部３３０が形成される。連絡開口部３３０の底部は水路底面３０３Ｃと合致している。連絡開口部３３０の外側には、他方の側壁３２０Ｂに沿ってこの側壁３２０Ｂと外壁３３２とにより連絡水路３３１が形成される。連絡水路３３１は幹線側潜流調整板３１１より下流側に延長され、延長端には排水河川への排水連絡水路（他の支線水路）３３３が接続される。連絡水路３３１と排水連絡水路３３３との間には、余水吐３３４が形成される。下流側幹線水路３２２の側壁３２２Ｂには、通水口３０５の下流側に連絡水路３３１の水位を制御する越流調整板３３５が設けられる。越流調整板３３５は角落し構造の越流調整板により高さを調整し、連絡水路３３１からの水流を上流端から越流させるようになっている。越流調整板３３５は、上端面高さ（越流高さ）が余水吐３３４の越流部より低くなるよう設定される。
【０１０６】
このように、上記第４の実施例に係る水路の分水機構３０２は、上述の如く構成されているので、既存の水路であっても、簡易な改修により上記各実施例と同様に、渇水時でも、平水時でも予め決められた分水比率で通水量と分水量とを一定に保持することができる。また、たとえ支線水路３２１が上流側幹線水路３２０の側壁３２０Ａに接続されていても、開度調整装置３０６により両潜流調整板３１０、３１１を同期させて同一の開度で開口させることができ、渇水時でも、平水時でも予め決められた分水比率で通水量と分水量とを一定に保持することができる。さらに、連絡水路３３１により上流側幹線水路３２０の水流の一部を越流調整板３３５により下流側幹線水路３２２に迂回させることができるので、下流側幹線水路３２２への通水を優先させることができる。また、越流調整板３３５は、上端面高さが余水吐３３４の越流部より低くなるよう設定されているので、越流調整板３３５から下流側幹線水路３２２側に流入する越流量が増大し続けると、過剰な増水分を余水吐３３４を通じて排水連絡水路３３３に排出させることができる。さらに、既存の支線水路３２１を改修する際や潜流調整板３１０、３１１や開度調整装置３０６が故障した際にも止水ゲートや角落しを用いることにより作業がし易くなる。
【０１０７】
なお、水位調整のためのゲート構造については、水理特性に着目すると、（１）ゲートの下から水を通すのか（１−ａタイプ）、ゲートの上から水を越流させるのか（１−ｂタイプ）のいずれかからなる種類と、（２）ゲートはスルースゲートのように滑りで上下移動するのか（２−ａタイプ）、ゲートにヒンジがあって回転移動するのか（２−ｂタイプ）のいずれかからなる種類との２種類が考えられる。これらタイプとゲート設置場所との関係では、河川の取水堰にあっては、堰上げは１−ｂタイプ、取水は１−ａタイプが多く見られ、用水路の分水ゲートでは、堰上げ、分水とも１−ａタイプが多く見られる。河口の防潮ゲートでは、１−ａタイプが多く見られる。また、水位の制御では、１−ｂタイプが１−ａタイプより容易である。一方、水位制御を越流ゲートで行う場合、１−ａタイプの場合は、ゲートの扉が水路底より低くなるように水路底を加工して設置する。１−ｂタイプの場合は、ゲートの扉とヒンジが水路底より低くなるように水路を加工して設置するなどの工夫をして、ゲート全開時の流量を確保する必要がある（図１７の（Ｂ）参照）。これらの工事が複雑で工費が高くなる場合には、水路幅を大きくして、水路底に設置する代替案も考えられる。
【実施例５】
【０１０８】
次に、本発明の第５の実施例に係る水路の分水機構４０２について説明する。本発明の第５の実施例に係る水路の分水機構４０２は、上記第４の実施例に係る水路の分水機構３０２が、分水口３０４を上流側幹線水路３２０の側壁３２０Ａに形成し、分水口３０４の底部を通水口３０５の底部と一致させ水路３０３の水路底面３０３Ｃと同一面に形成しているのに対し、図１８に示すように、通水口４０５より上流側の上流側幹線水路４２０の側壁４２０Ａに形成した四角形状の分水口４０４を、水路４０３の水路底面４０３Ｃより上方の高い位置に形成した点が異なっている。本実施例に係る水路の分水機構４０２は、通水口４０５が分水口４０４より下流側で下流側幹線水路４２２の水路面に配置される。分水口４０４には、図２０ないし図２２に示すように、支線側潜流調整板４１０が、通水口４０５には、幹線側潜流調整板４１１がそれぞれ配置される。これら潜流調整板４１０、４１１は矩形状に形成され、それぞれガイド機構４０８に両側部が差し入れられ上下方向に変位し所望の位置で保持される。支線側潜流調整板４１０は、上端からの越流を許さないよう高さ寸法は分水口４０４の高さ寸法より長寸となっている。支線側潜流調整板４１０は分水口４０４の底部４０４Ａより上方で保持されると、底部４０４Ａとの間に形成される空隙Ｓ４１０から支線水路４２１側に潜流を導くようになっている。また、幹線側潜流調整板４１１は、上端からの越流を許さないよう高さ寸法は通水口４０５の高さに準じた寸法となっている。幹線側潜流調整板４１１は水路底面４０３Ｃより上方で保持されると、水路底面４０３Ｃとの間に形成される空隙Ｓ４１１から下流側幹線水路４２２側に潜流を導くようになっている。支線水路４２１の水路面は分水口４０４と同一に形成される。
【０１０９】
これら潜流調整板４１０、４１１は、開度調整装置（変位手段）４０６により同期して同一の開度で開口される。開度調整装置４０６は、各潜流調整板４１０、４１１の上端部に回動可能に設けられ支持枠に螺合される両調整ロッドを同期させて回動させる回動機構（図示せず）を備えている。このため、両潜流調整板４１０、４１１は独立して操作することができないようになっている。
【０１１０】
通水口４０５には、幹線側潜流調整板４１１に隣接し、ガイド機構４０８に両側部が差し入れられる越流調整板４１２が配置される。越流調整板４１２は複数の板片から構成され、水路底面４０３Ｃから順次板片を重ねて、越流上端部４１２Ａを所望の高さに設定することができるようになっている。ガイド機構４０８と支線側潜流調整板４１０とにより第１のゲート（支線側潜流ゲート）を、ガイド機構４０８と幹線側潜流調整板４１１とにより第２のゲート（幹線側潜流ゲート）を、ガイド機構４０８と越流調整板４１２とにより第３のゲート（幹線側越流ゲート）をそれぞれ構成している。
【０１１１】
本実施例に係る水路の分水機構４０２では、水路のゲートが通常使用されている潜り流出の場合、第１ゲートの支線側潜流調整板４１０と第２のゲートの幹線側潜流調整板４１１とを同期させて連動させるようにしているので、上流側幹線水路４２０の上流側水位をｈ、下流側幹線水路４２２の下流側水位をｈｍ、支線水路４２１の水位をｈｌとし、第３のゲートで越流調整板４１１が越流を阻止している場合、すなわち、越流調整板４１１の上端越流部４１１の高さが上流側水位ｈより高い場合、幹線水路４０３の通過部Ａ（空隙Ｓ４１１に相当）の流量ＱＡは、
ＱＡ＝通過部Ａの幅（空隙Ｓ４１１の水路幅方向寸法）×通過部Ａの高さ（幹線側潜流調整板４１１下端面の水路底面４０３Ｃからの高さ寸法）×流速係数×縮流係数×ｓｑｒｔ（２×（ｈ−ｈｍ））となる（ここでｓｑｒｔは平方根、ルートの関数である。）。
支線水路４２１の通過部Ｂ（空隙Ｓ４１０に相当）の流量ＱＢは、
ＱＢ＝通過部Ｂの幅（分水口４０４の横幅）×通過部Ｂの高さ（支線側潜流調整板４１０下端面の分水口底部４０４Ａからの高さ寸法）×流速係数×縮流係数×ｓｑｒｔ（２×（ｈ−ｈｌ））となる。
ここで、上記２つの流速係数と縮流係数（流量係数＝流速係数×縮流係数）との差が無視でき、ｈｍ＝ｈｌとすれば、通過部Ｂと通過部Ａとの面積比が同じになるように第１のゲートの支線側潜流調整板４１０と第２のゲートの幹線側潜流調整板４１１とを同期させる。こうすることにより、上記各実施例と同様に、越流調整板４１２からの越流がなく、しかも、上流側水位が分水口４０４の底部４０４Ａより高い場合、各潜流調整板４１０、４１１からの潜流のみにより分水と通水が行われるので、分水比（取水比）は予め設定された一定の値となる。しかしながら、上流側水位が分水口４０４の底部４０４Ａより低い場合、支線水路４２１には、分水は行われず、下流側幹線水路４２２への通水が優先される。このように、幹線水路の水路面に対して分水口の配置が多様であっても、上流側水位が分水口４０４の底部４０４Ａ以上で予め設定された一定の分水比を保持して分水と通水とを行うことができる。そして、上記上流側水位以下では、下流側幹線水路４２２への通水を優先させるようになっている。
【実施例６】
【０１１２】
図２３の（Ａ）、（Ｂ）はそれぞれ、本発明の特徴を比較して示すモデルＭ−Ｉ、Ｍ−ＩＩを示すもので、（Ａ）は図５に示す本発明の第１の実施例に係る水路の分水機構２の構成に基づいて作成された本発明のモデルＭ−Ｉ、（Ｂ）は分水口４と通水口５とにおける分水量と通水量とをそれぞれ独立に制御する２体の流量制御装置Ｃ１０Ａ、Ｃ−１０Ｂを備えた従来例のモデルＭ−ＩＩを示している。図２３の（Ａ）の本発明のモデルＭ−Ｉでは、上記第１の実施例と同様に、分水口４と通水口５の一部に上下に変位可能に設けられ両口４、５をともにほぼ同一の開度で開き下方で水流の通過を許容し上端からの越流を阻止する潜流調整板１０を備え、通水口５の他の部分には、越流を許容する堰上げ板（水位制御装置）１２が差し入れられるようになっている。図２３の（Ｂ）の従来例のモデルＭ−ＩＩでは、通水口５の一部と分水口４とにそれぞれ図示しない変位手段により独立に上下に変位する第１第２の潜流調整板（スルースゲート）Ｃ−１０Ａ、Ｃ−１０Ｂを設け、通水口５の他の部分に堰上げ板１２が差し入れられるようになっている。堰上げ板１２が差し入れられる第２のゲート８は上流側の水位制御を果たすようになっている。第１の実施例と同一部号は同一または相当部分を示す。また、図２４ないし図２８はそれぞれ、これら両モデルＭ−Ｉ、Ｍ−ＩＩの流量公式に基づいて支線水路１２の取水比と本線水路２２の流下比とについて操作可能な範囲との関係を示したグラフである。図２９は、幹線水路２０の０から最大までの送水量（横軸）と支線水路２１の０から最大までの取水量（横軸）とについて本発明のモデルＭ−Ｉと従来のモデルＭ−ＩＩとによる操作可能な範囲の違いを示すグラフである。
【０１１３】
図２３の（Ａ）、（Ｂ）に示す両モデルＭ−Ｉ、Ｍ−ＩＩについて、上流側幹線水路２０の最大送水量をＭ（ｍ３／ｓ）、支線水路２１の最大分水量をＺ（ｍ３／ｓ）でそれぞれ表し、上流側幹線水路２０の最大以下の通常時の送水量をｍ（ｍ３／ｓ）、支線水路２１の最大以下の通常時の分水量をｚ（ｍ３／ｓ）でそれぞれ表す（最大量を大文字のアルファベットで、最大以下の通常時の値を小文字のアルファベットで表す）。上流側幹線水路２０の通常時送水量ｍ（ｍ３／ｓ）はＭ≧ｍ≧０となり、支線水路２１の通常時分水量ｚ（ｍ３／ｓ）はＺ≧ｚ≧０を満足する。幹線水路の規模は、上流側幹線水路２０の最大送水量Ｍと支線水路２１の最大分水量Ｚとで設計され、このときの支線水路２１の分水量に対する幹線水路２０の送水量に対する取水比は、Ｚ／Ｍである。下流側幹線水路２２への通水量（通過流量）ｘはｍ−ｚ（ｘ＝ｍ−ｚ）であり、上流側幹線水路２０の通常時送水量ｍの値に係わらず、ｍ＝ｚ＋ｘが成立する。そこで、以下では、上流側幹線水路２０の通常時送水量ｍの配分比率である支線水路２１の取水比ｚ／ｍと本線水路２２の流下比（下流側幹線水路への通水量（通過流量）／送水量）ｘ／ｍを検討する。
【０１１４】
まず、図２３の（Ｂ）に示す従来のモデルＭ−ＩＩでは、通水口５側の第１の潜流調整板（第１のスルースゲート）Ｃ１０Ａと分水口４側の第２の潜流調整板（第２のスルースゲート）Ｃ１０Ｂとをそれぞれ独立に上下に操作するようにしているので、上流側幹線水路２０の送水量が最大送水量Ｍから減少し通常送水量ｍ（Ｍ＞ｍ＞０）（ｍ３／ｓ）になった場合、支線水路２１が取りうる可能な最大分水量はＺであり、支線水路２１の取水比ｚ／ｍの最大値はＺ／ｍになる。言い換えれば、支線水路２１の取水比ｚ／ｍの範囲は（Ｚ／ｍ）≧（ｚ／ｍ）≧０になる。つまり、上流側幹線水路２０の通常送水量ｍが最大送水量Ｍから減少しても、支線水路側施設では取水可能な最大量Ｚまで取水を増加させることができる。そしてその分だけ支線水路２１の取水比ｚ／ｍが増加し下流側本線水路２２の流下比ｘ／ｍが減少する（図２６、図２７参照）。
【０１１５】
これに対し、図２３の（Ａ）に示す本発明のモデルＭ−Ｉでは、一枚の潜流調整板１０が分水口４と通水口５とにわたって一体に上下に操作されるので、水位制御ゲートである第２のゲート８で堰上げ板１２（図５参照）から越流がない、すなわち、越流による通過流量が零の場合、通水口５の通水量を制御するチェックゲート側（第１のゲート６の通水口側）と分水口４の分水を制御する分水ゲート側（第１のゲート６の分水口側）との分水比ｘ／ｚ（分水比＝分水量ｚ／通水量ｘ（＝送水量ｍ））は、両水路２１、２２の下流水位が同じ場合、分水口４側の取水比ｚ／ｍ＝Ｚ／Ｍと同一で一定である（図２４の流下比ｘ／ｍが８０％−１００％、取水比ｚ／ｍが０％−２０％の範囲である「一定比率」、「下流優先取水」の部分参照）。
【０１１６】
第２のゲート８で堰上げ板１２から越流がある場合、すなわち、越流による通過流量がある場合、下流側幹線水路２２への通水量（通過流量）が増加するので、分水ゲートの取水比は、送水量が増大するに従って下流側幹線水路２２への通水量は増大する一方、支線水路２１への分水量は一定の量のままとなり、潜流調整板１０が閉じられ越流のみ許容すると、分水が遮断され全量が通水されるので、（Ｚ／Ｍ）≧（ｚ／ｍ）≧０となる。このように本発明のモデルＭ−Ｉでは、従来のモデルＭ−ＩＩと比較して、（Ｚ／ｍ）≧ｂ≧（Ｚ／Ｍ）の範囲ｂが第１のゲート６の制御対象から除外される点が異なっている。このように、本発明のモデルＭ−Ｉでは、分水ゲート（支線水路２１）の利用者は、送水量に対して最大の取水量を確保するとしても、分水口４側の取水比ｚ／ｍは（Ｚ／Ｍ）≧（ｚ／ｍ）≧０に基づいて最大のＺ／Ｍの取水比が確保され、上流側幹線水路２０からの送水量ｍないしＺに係わらず、一定の分水比での配水が実現する。
【０１１７】
図２４ないし図２８のぞれぞれのグラフでは、縦軸に支線水路２１の取水比ｚ／ｍを、横軸に本線水路２２の流下比ｘ／ｚを示し、分水操作を表現している。縦軸と横軸との和が一直線上にあるのは、送水量を支線水路２１の取水と本線水路２２の流下で分け合っており、総和が１００％になることを意味する。これらグラフではいずれも、水路がＺ／Ｍ＝０．２で設計の最大通水量での支線水路の取水比を２０％としている。
【０１１８】
図２５は、幹線水路２０の送水量が最大送水量Ｍの場合の従来のモデルＭ−ＩＩによる操作を示す。支線水路２１への取水が最大取水量Ｚを取った場合の分水比は２０％で、取水制限をした場合には、これより小さい値となり、図２５中、「一定比率」および「下流優先取水」の領域で操作ができる。次に、幹線水路２０の送水量が減少し、ｍ＝０．６×Ｍになった場合の例を図２６に示す。支線水路２１への最大取水量Ｚは、Ｚ＝０．２×Ｍとなるので、支線水路２１には、最大で０．２×Ｍの取水が可能である。このときの操作は図中、三角形の印で示す。このときの本線２２の流下流量（通水量）ｘは（０．６×Ｍ）−（０．２×Ｍ）＝０．４×Ｍとなる。支線水路２１の取水比ｚ／ｍ＝（０．２／０．６）＝０．３３３で、下流側幹線水路２２の流下比ｘ／ｍ＝（０．４／０．６）＝０．６６６となる。これが最大の取水可能な量であり、操作可能な領域は図２６の三角形マークの右側になる。この場合、本線水路２２の流下比ｘ／ｍは０．６６（＝（０．４×Ｍ）／（０．６×Ｍ））で、設計時の流下比の値０．８＝１．０−０．２を下回っている。
【０１１９】
次に、従来のモデルＭ−ＩＩについて、本線２０の送水量ｍを０＜ｍ＜Ｚ、つまり、幹線２０の送水量全量を支線水路２１に導入可能な場合と、Ｚ＜ｍ＜Ｍ、つまり、幹線２０の送水量の一部を下流側幹線水路２２へ通水する場合とに分けて考える。
（ｉ）０＜ｍ＜Ｚの場合を図２７に示す。この図２７で明らかなように、ここでは、支線水路２１に幹線２０の送水量の全量を導入可能であり、従来のモデルＭ−ＩＩでは、支線水路２１の取水比で０％〜１００％のすべての範囲、本線水路２２の流下比で０％〜１００％のすべての範囲で操作が可能になっている。
（ｉｉ）Ｚ＜ｍ＜Ｍの場合を図２８に示す。ここでは、支線水路２１の最大取水量は、ｚ＝Ｚのときに生じ、これにより従来のモデルＭ−ＩＩでは、取水を絞り込む範囲の操作が可能である。
このように、幹線送水量が最大の送水量Ｍの場合を除けば、従来のモデルＭ−ＩＩでは、設計時の取水配分比率（図２４ないし図２８中、「一定比率」と表記）の他に、図中左側の「上流優先取水」（支線水路２１側の分水優先）と図中右側の「下流優先取水」（下流側幹線水路２２側の通水優先）の２つの領域で取水が可能である。このため、支線水路２１の利用者は、より有利な、「上流優先取水」の領域で取水を実現させ、下流の水不足を発生させてきた。つまり、従来のモデルＭ−ＩＩでは、上流の過剰取水、下流の取水不足を招く構造的な性質がある。
【０１２０】
これに対し、本願発明のモデルＭ−Ｉでは、幹線２２の流下比の最小値は、送水量の影響を受けず、一定になる。このため、下流側幹線水路２２の流下比ｘ／ｍは、ｘ／ｍ＝１−（Ｚ／Ｍ）＝０．８で目標値（図２４中、丸い円の部分で示す）に一致する。図２４の丸形マークの右側に本発明モデルＭ−Ｉの操作可能範囲を示している。本発明で操作可能な範囲は、設計時の取水配分比率（図２４中、「一定比率」と表記）の他には、図２４の右側の「下流優先取水」の領域のみで取水が可能である。このため、支線水路２１の利用者は、最も有利な一定比率取水を実現させた場合でも、下流での水不足は発生しない。図２９は、支線水路取水の操作可能範囲を幹線送水量との関係で示したものである。本発明のモデルＭ−Ｉで操作可能な場合を右辺と底辺とが直角をなす三角形の領域α（本発明モデルＭ−Ｉの取水操作可能な領域＝α）で示されている。従来のモデルＭ−ＩＩで操作可能な場合は、上記領域αとこの領域αの上辺の上側にある２つのより小さい三角形の領域β、γ（従来のモデルＭ−ＩＩの取水操作可能な領域＝α＋β＋γ）で示されている。従来のモデルＭ−ＩＩでは、領域α、β、γでなす台形部分の組み合わせが可能となり、領域β、γの部分では、上流優先取水、すなわち、支線水路２１側の分水優先を許すことになり、支線水路の取水比ｚ／ｍが目標設定値より大きくなる一方、本線流下比ｘ／ｍは目標設定値より小さくなっている（図２６ないし図２８参照）。これに対し、本発明のモデルＭ−Ｉでは、操作可能な範囲が大三角形αで示され、支線水路２１の取水比ｚ／ｍは、目標設定値またはそれ以下になっている。
【実施例７】
【０１２１】
次に、本発明の第７の実施例に係る水路の分水機構６０２について説明する。本発明の第７の実施例に係る水路の分水機構６０２は、上記第１ないし第６の実施例に係る水路の分水機構２、１０２、２０２、３０２、４０２が、潜流を許容する潜流調整板１０、１１０、２１０、３１０、３１１、４１０、４１１の下端を水平に形成し、水路底面に接すると、下端からの潜流を遮断するようにしているのに対し、図３０に示すように、潜流調整板６１０の通水口６０５側の下端部を切り欠くようにした点が異なっている。この第７の実施例に係る水路の分水機構６０２は、通水口６０５と分水口６０４とには、これら両口６０５、６０４にわたって上下に変位する潜流調整板６１０が設けられる。潜流調整板６１０は、上下方向寸法を水路の設計水位の高さ寸法より短寸に形成されるとともに、通水口６０５側の下端部が切り欠かれて切り欠き部６１０Ａが形成される。このため、下流側幹線水路６２２には、渇水・平水時でも、常時、潜流が確保されるようになっている。このため、分水比に差を設けて設定することができるようになっている。なお、符号６０３Ａ，６０３Ｂはそれぞれ水路の側壁を、６０３Ｃは水路底面を、６０５は通水口側水路を、６０７は分水壁を、６２１は支線水路を、６２２は下流側幹線水路をそれぞれ示す。
【実施例８】
【０１２２】
次に、本発明の第８の実施例に係る水路の分水機構７０２について説明する。本発明の第８の実施例に係る水路の分水機構７０２は、上記第１ないし第７の実施例に係る水路の分水機構２、１０２、２０２、３０２、４０２、６０２が、幹線水路２０、２２、１２２、２０９（２２２）、３２２、４２２、５２２の通水口５、１０５、２０５、３０５、４０５、６０５に単一の潜流調整板１０、１１０、２１０、３１１、４１１、６１０を設けるようにしているのに対し、大規模な水路（幹線水路幅の広い水路）に適用できるように、幹線水路７０３の通水口７０５には、複数の潜流調整板７１１Ａ〜７１１Ｄを並べて配置し、これら複数の潜流調整板７１１Ａ〜７１１Ｄと分水口７０４側の潜流調整板７１０とを同期させて上下に変位させる点が異なっている。この第８の実施例に係る水路の分水機構７０２は、図３２に示すように、水路７０３の両側壁７０３Ａ、７０３Ｂに水路幅方向を合致させて一対の支柱７０６Ａ、７０６Ｂが設置される。これら支柱７０６Ａ、７０６Ｂ間には、支持ガイド７０７Ａ〜７０７Ｄを介して複数の潜流調整板７１１Ａ〜７１１Ｄと越流調整板７１５が配置される。支持ガイド７０７Ａ〜７０７Ｄは、支柱７０６Ａ、７０６Ｂとともに図示しない縦溝（ガイド）を有し、各潜流調整板７１１Ａ〜７１１Ｄの両側と越流調整板７１５の両側とを滑動自在に支持するようになっている。
【０１２３】
幹線水路７０３の一方の側壁７０３Ａには、支線水路７２１の分水口７０４が形成され、分水口７０４には、下端面が水路底面に合致して平坦に形成され上下方向に変位し所望の位置で保持される潜流調整板７１０が設置される。通水口７０５側の第１の潜流調整板（取水口の最近傍の潜流調整板）７１１Ａと分水口７０４側の潜流調整板７１０とは、連結バー（連結機構）７１６で連結され同期して一体に上下動するようになっている。第１の潜流調整板７１１Ａの下端には、隣の第２の潜流調整板７１１Ｂの下面切り欠き部７１４Ｂに嵌るストッパ７１３Ａが、第２の潜流調整板７１１Ｂの下端には、隣の第３の潜流調整板７１１Ｃの下面切り欠き部７１４Ｃに嵌るストッパ７１３Ｂが、第３の潜流調整板７１１Ｃの下端には、隣の第３の潜流調整板７１１Ｄの下面切り欠き部７１４Ｄに嵌るストッパ７１３Ｃがそれぞれ形成される。これらストッパ７１３Ａ〜７１３Ｃと切り欠き部７１４Ｂ〜７１４Ｄとにより支持機構を構成している。本実施例に係る水路の分水機構７０２では、図示しない変位手段により第１の潜流調整板７１１Ａが上方に変位されると、この第１の潜流調整板７１１Ａに同期して、分水口７０４側の潜流調整板７１０とともに第２ないし第４の潜流調整板７１１Ｂ、７１１Ｃ、７１１Ｄも上方に変位されるようになっている。図示しない変位手段により第１の潜流調整板７１１Ａが下方に変位されると、分水口７０４側の潜流調整板７１０は第１の潜流調整板７１１Ａに同期して下方に変位されるとともに、第２の潜流調整板７１１Ｂから順に第４の潜流調整板（取水口から最遠の潜流調整板）７１１Ｄまで連動して降下するようになっている。なお、上記水路の分水機構７０２では、連結バー７１６を両潜流調整板７１０、７１１Ａとの連動機構として構成しているが、第１の潜流調整板７１１Ａの開度が分水口７０４側の潜流調整板７１０の開度より優先するようにストッパを設置することもできる。また、上記実施例では、分水口側潜流調整板７１０と通水口側の第１の潜流調整板７１１Ａとを連結バー７１６により連結し図示しない変位手段により連動させるようにしているが、これに限られるものではなく、連結バー７１６と変位手段とを、両板７１０、７１１Ａにそれぞれ一端が連結された各ワイヤを巻き取り車に引き出し自在に巻き取るようにして連動させるように構成してもよいし、両板７１０、７１１Ａにそれぞれ下端が取り付けられて立設されたねじ切りロッドに噛合する歯車を設け、これら両歯車を同期させて回転させる連動機構により連動させるように構成してもよい。
【０１２４】
なお、上記第８の実施例に係る水路の分水機構７０２では、分水口７０４側の潜流調整板７１０の下端面は平坦に形成され、第１ないし第４の潜流調整板７１１Ａ〜７１１Ｄのようなストッパやこのストッパに嵌る切り欠き部が設けられていないが、これに限られるものではなく、例えば、通水口と分水口とを同一水路面に形成し、分水口側のゲートを支柱７０６Ａと７０７Ａと第１の潜流調整板７１１Ａとにより構成し、通水口側のゲートを支柱７０７Ａ、７０７Ｂ、７０７Ｃ、７０７Ｄ、７０６Ｂとこれら支柱７０７Ａ〜７０７Ｄ、７０６Ｂ間に配設される第２の潜流調整板７１１Ｂ、７１１Ｃ、７１１Ｄと越流調整板７１５とにより構成し、分水口側潜流調整板（第１の潜流調整板）７１１Ａとこの分水口側潜流調整板７１１Ａと隣接する通水口側潜流調整板（第２の潜流調整板）７１１Ｂとを連結バー７１６で連結して同期させ、図示しない変位手段により一体に上下動させるようにしてもよい。
【実施例９】
【０１２５】
図３４の（Ａ）ないし（Ｃ）はそれぞれ、上記第８の実施例に係る水路の分水機構７０２のストッパ７１３Ａ、７１３Ｂ、７１３Ｃの第１の変形例を示すもので、上記第８の実施例に係る水路の分水機構７０２のストッパ７１３Ａ、７１３Ｂ、７１３Ｃが潜流調整板７１１Ａ〜７１１Ｃの下端に設けられている、つまり、下端に支持機構が設けられているのに対し、上部に設けられている点が異なっている。すなわち、第８の実施例の第１の変形例に係る水路の分水機構７０２Ａでは、第１の潜流調整板７１１Ａの上部にはコ字状支持部材７１７の一端が取り付けられる。支持部材７１７の延長端は、第４の潜流調整板７１１Ｄに近い隣の第２の潜流調整板７１１Ｂに及んで延長され、この延長端に平坦な載置面７１８が形成される。第２の潜流調整板７１１Ｂには、下面がこれら両潜流調整板７１１Ａ、７１１Ｂの最下端位置にあるとき、支持部材７１７の延長端載置面７１８に載置される当接部材７１９が取り付けられる。当接部材７１９の下面には尖頭突部が形成され、折曲された延長端７１８の内側に収まるようになっている。これら支持部材７１７は、第２、第３の潜流調整板７１１Ｂ、７１１Ｃにもそれぞれ順に設けられ、第２の潜流調整板７１１Ｂの支持部材７１７は、第３の潜流調整板７１１Ｃの当接部材７１９に、第３の潜流調整板７１１Ｃの支持部材７１７は、第４の潜流調整板（取水口から最遠の潜流調整板）７１１Ｄの当接部材７１９にそれぞれ当接するようになっている。このため、この変形例に係る水路の分水機構では、図示しない変位手段により第１の潜流調整板７１１Ａが上方に変位されると、この第１の潜流調整板７１１Ａに同期して、分水口７０４側の潜流調整板７１０が上方に変位されるとともに、第１の潜流調整板７１１Ａが支持部材７１７と当接部材７１９とを通じて第２の潜流調整板７１１Ｂを、第２の潜流調整板７１１Ｂが支持部材７１７と当接部材７１９とを通じて第３の潜流調整板７１１Ｃを、第３の潜流調整板７１１Ｃが支持部材７１７と当接部材７１９とを通じて第４の潜流調整板７１１Ｄをそれぞれ順次同期して上方に変位させるようになっている。図示しない変位手段により第１の潜流調整板７１１Ａが下方に変位されると、分水口７０４側の潜流調整板７１０は第１の潜流調整板７１１Ａに同期して下方に変位されるとともに、第２の潜流調整板７１１Ｂから順に第４の潜流調整板７１１Ｄまで自重で降下するようになっている。
【実施例１０】
【０１２６】
図３５は、上記第８の実施例に係る水路の分水機構７０２のストッパ７１３Ａ〜７１３Ｃの第２の変形例を示すもので、上記第１の変形例に係る分水機構７０２Ａでは、一方の潜流調整板７１１Ａにコ字状支持部材７１７を取り付け、他方の潜流調整板７１１Ｂには、下面が支持部材７１７の延長端載置面７１８に載置される当接部材７１９を設けて構成しているのに対し、第２の変形例に係る水路の分水機構７０２Ｂでは、通水口側と分水口側とで隣り合う支柱７０６Ａ、７０８Ａの上流側近傍に立設されたガイドロッド７３０に、分水口側潜流調整板７２０のストッパ７２２と通水口側潜流調整板７２１のストッパ７２３とを係止させるようにして点が異なっている。すなわち、第２の変形例に係る水路の分水機構７０２Ｂは、分水口７１２側の潜流調整板７２０には、その上端に板状ストッパ７２２を幹線水路側に突出させて設け、通水口７０３側の潜流調整板７２１には、その上端に板状ストッパ７２３を上流側に突出させて設け、これら両ストッパ７２２、７２３の長手方向一端を重なり合うように延長して設け、これら延長端にそれぞれガイド孔７２４、７２５を上下に貫通して穿設している。各潜流調整板７２０、７２１の上端部中央には、それぞれ図示しない変位手段に連結され、これら潜流調整板７２０、７２１を上下に変位させる操作ロッド７２０Ａ、７２１Ａが立設される。通水口側と分水口側とで隣り合う支柱７０６Ａ、７０８Ａの上流側近傍には、ガイドロッド７３０を立設し、まず、分水口側潜流調整板７２０の板状ストッパ７２２をガイド孔７２４を介してガイドロッド７３０に係止させ、次に、通水口側潜流調整板７２１の板状ストッパ７２３をガイド孔７２５を介してガイドロッド７３０に係止させるようにしている。このように、第２の変形例に係る水路の分水機構７０２Ｂでは、両ストッパ７２２、７２３とガイドロッド７３０とにより、分水口側潜流調整板７２０が通水口側潜流調整板７２１より上方へ変位するのを規制する規制機構を構成するようになっている。このため、図示しない変位手段によりこれら両潜流調整板７２０、７２１を同期させて上下に変位させる際には、分水口側潜流調整板７２０は通水口側潜流調整板７２１より上方への変位が規制され、必ず下方側に位置するので、分水口側への過剰な分水を避けることができる。
【実施例１１】
【０１２７】
図３６は、上記第８の実施例に係る水路の分水機構７０２の第３の変形例を示すもので、上記第２の変形例に係る分水機構７０２Ｂでは、板状ストッパ７２２、７２３をそれぞれ各潜流調整板７２０、７２１の上端に設けているのに対し、板状ストッパ７４２、７４３をそれぞれ操作ロッド７２０Ａ、７２１Ａに取り付けて、ガイドロッド７５０に係止させた点が異なっている。第８の実施例の第３の変形例に係る水路の分水機構７０２Ｃでは、板状ストッパ７４２、７４３はそれぞれ、潜流調整板７２０，７２１が最下方位置、すなわち、潜流を阻止する位置にあるとき、支柱７０８Ａ、７０８Ｂ、７０６Ａ、７０７Ａと干渉しない位置で長手方向を各潜流調整板７２０，７２１の上端面長手方向と合致させて操作ロッド７２０Ａ、７２１Ａに取り付けられる。板状ストッパ７４２、７４３はそれぞれ、上記第２の変形例と同様に、これら両ストッパ７４２、７４３の長手方向一端を重なり合うように延長して設け、これら延長端にそれぞれガイド孔７４４、７４５を上下に貫通して穿設している。ガイドロッド７５０は、隣り合う支柱７０６Ａ、７０８Ａの近傍で、通水口側の両支柱７０７Ａ、７０６Ａを結ぶ方向と分水口側の両支柱７０８Ｂ、７０８Ａを結ぶ方向とが合致する位置に立設される。このように、第３の変形例に係る水路の分水機構７０２Ｃでは、両ストッパ７４２、７４３とガイドロッド７５０とにより、分水口側潜流調整板７２０が通水口側潜流調整板７２１より上方へ変位するのを規制する規制機構を構成するようになっている。このため、分水口側潜流調整板７２０は通水口側潜流調整板７２１より常に下方に位置するとともに、板状ストッパ７４２、７４３は水に触れにくくより確実にストッパとしての機能を果たすことができる。
【実施例１２】
【０１２８】
次に、本発明の第９の実施例に係る水路の分水機構８０２について説明する。本発明の第９の実施例に係る水路の分水機構８０２は、上記第８の実施例およびその変形例に係る水路の分水機構７０２が、幹線水路７０３の通水口７０５には、複数の潜流調整板７１１Ａ〜７１１Ｄを並べて配置し、変位手段により第１の潜流調整板７１１Ａを上下動させ、連結バー７１６により分水口側の潜流調整板７１０を、支持機構７１３Ａ〜７１３Ｃ、７１４Ｂ〜７１４Ｄ、７１７、７１９により通水口側の潜流調整板７１１Ａ〜７１１Ｄをそれぞれ同期させ、これら複数の潜流調整板７１１Ａ〜７１１Ｄと分水口７０４側の潜流調整板７１０とを上下に変位させるように構成しているのに対し、支持機構を用いないで、各潜流調整板７１０、７１１Ａ〜７１１Ｄを油圧により同期させて上下動させるようにした点が異なっている。
【０１２９】
すなわち、本発明の第９の実施例に係る水路の分水機構８０２は、図３７および図３８に示すように、幹線水路７０３の通水口７０５に並べて配置された複数の潜流調整板８１１Ａ〜８１１Ｄと、分水口７０４側に配置された潜流調整板８１０は、それぞれ独立に上下に変位可能に構成される。水路７０３の両側壁７０３Ａ、７０３Ｂに水路幅方向を合致させて一対の支柱７０６Ａ、７０６Ｂが設置される。これら支柱７０６Ａ、７０６Ｂ間には、支持ガイド７０７Ａ〜７０７Ｄを介して複数の潜流調整板８１１Ａ〜８１１Ｄと越流調整板８１２が配置される。支持ガイド７０７Ａ〜７０７Ｄは、支柱７０６Ａ、７０６Ｂとともに図示しない縦溝（ガイド）を有し、各潜流調整板８１１Ａ〜８１１Ｄの両側と越流調整板８１２の両側とを滑動自在に支持するようになっている。分水口７０４側の潜流調整板８１０も両端が図示しない支柱に上下に変位可能に支持されるようになっている。
【０１３０】
ところで、この第９の実施例に係る水路の分水機構８０２は、変位手段が、支持ガイド７０７Ａ〜７０７Ｄの上方に設けられ水路７０３、７１２に固定された支持枠８１２と、各潜流調整板７１０、７１１Ａ〜７１１Ｄ毎に支持枠８１２に取り付けられ各潜流調整板８１０、８１１Ａ〜８１１Ｄを同期させて上下に変位させる油圧シリンダ８１３と、これら油圧シリンダ８１３に配管８１４を介して圧油を供給する油圧供給機構８１５とを備えて構成される。各油圧シリンダ８１３には、非常コック８１６が設けられる。第９の実施例に係る水路の分水機構８０２は、このように構成されているので、油圧供給機構８１５から各油圧シリンダ８１３に各潜流調整板８１０、８１１Ａ〜８１１Ｄの開度を同一にするよう所定圧の油圧が導入されると、各潜流調整板８１０、８１１Ａ〜８１１Ｄは同期して所定の高さに変位される。このため、制御の自動化を図ることができる。非常コック８１６は、油圧システムの故障時、操作系全体に影響が及ぶのを防ぐために設けられる。
【０１３１】
図３９の（Ａ）、（Ｂ）はそれぞれ、油圧シリンダ８１３の動作方向をそれぞれ示すもので、矢印の方向は油圧シリンダ８１３の動作方向を示す。矢印の基端部位置が固定側に相当し矢印の延長方向位置、すなわち、延長長さが大気圧を引いた油圧に比例する。図３９の（Ａ）に示す構成では、油圧ゼロ（油圧の非導入時）の場合、大気圧と同一で、矢印の長さがゼロになり、各潜流調整板８１０、８１１Ａ〜８１１Ｄは全閉となる。この場合、支線水路７１２側への過剰取水発生のおそれがある。このため、図３９の（Ｂ）に示すように、油圧シリンダ８１３の動作方向を上下逆にし、カウンターウェイト８１７を設け、故障時には、各潜流調整板８１０、８１１Ａ〜８１１Ｄが全開となるようにしてもよい。
【実施例１３】
【０１３２】
次に、本発明の第１０の実施例に係る水路の分水機構９０２について説明する。本発明の第１０の実施例に係る水路の分水機構９０２は、上記第９の実施例に係る水路の分水機構８０２が変位手段として油圧システム８１３、８１４、８１５を用いているのに対し、機械的な変位装置を用いた点が異なっている。すなわち、第１０の実施例に係る水路の分水機構９０２は、図４０および図４１に示すように、水路９０３の分水口９０４に配設された潜流調整板９１０Ａと通水口９０５に配設された複数の潜流調整板９１０Ｂ、９１０Ｃとを備えている。通水口９０５の一部には、越流調整板９１１が設けられる。これら潜流調整板９１１Ａ〜９１１Ｃ、越流調整板９１２はそれぞれ水路側壁９０３Ａ、９０３Ｂの幅方向に形成された縦溝９０６Ａ、９０６Ｂと支持ガイド９０７とにより上下に変位可能に支持される。支持ガイド９０７の上方には、両端が水路９０３に固定された支持枠９１２が配設される。
【０１３３】
各潜流調整板９１１Ａ〜９１１Ｃの上端中央部には、雌ねじ部９１３が設けられ、この雌ねじ部９１３には、上下に雄ねじ部が形成されたねじロッド９１４が螺装される。ねじロッド９１４の上端には、ウォームホイール９１５が取り付けられる。支持枠９１２には、軸受け９１６を介してウォームシャフト９１７が回動自在に支持される。そして、このウォームシャフト９１７のギヤ部９１８がそれぞれねじロッド９１４のウォームホイール９１５に噛合するようになっている。ウォームシャフト９１７の突出端には、操作ホイール９１９が取り付けられる。第１０の実施例に係る水路の分水機構９０２は、このように構成されているので、操作ホイール９１９を一方向に回すと、ウォームシャフト９１７が一体に回動し、各ウォームホイール９１５を同一の方向に回転させる。このため、各潜流調整板９１１Ａ〜９１１Ｃの雌ねじ部９１３に螺合されたねじロッド９１４はいずれも同一方向に回動して各潜流調整板９１１Ａ〜９１１Ｃを同期させて上方または下方に変位させるようになっている。このように、第１０の実施例に係る水路の分水機構９０２では、操作ホイール９１９が操作されると、各潜流調整板９１１Ａ〜９１１Ｃは同期して上下に変位されるように構成されているので、簡素な構造で、水を確実に一定の分水比で配分操作することができる。また、きめ細かく各潜流調整板９１１Ａ〜９１１Ｃの開度を調整することができる。
【実施例１４】
【０１３４】
次に、本発明の第１１の実施例に係る水路の分水機構１００２について説明する。本発明の第１１の実施例に係る水路の分水機構１００２は、上記第１０の実施例に係る水路の分水機構９０２が変位手段として、各潜流調整板９１１Ａ〜９１１Ｃの上端中央部に設けられた雌ねじ部９１３と、この雌ねじ部９１３に螺装されるねじロッド９１４と、ねじロッド９１４の上端に取り付けられたウォームホイール９１５と、支持枠９１２の軸受け９１６を介して回動自在に支持されるウォームシャフト９１７と、ねじロッド９１４のウォームホイール９１５に噛合するウォームシャフト９１７のギヤ部９１８と、ウォームシャフト９１７の突出端に取り付けられた操作ホイール９１９とを備えて構成し、操作ホイール９１９の回動により、各潜流調整板９１１Ａ〜９１１Ｃを同期させて変位させるようにしているのに対し、図４２に示すように、変位手段を、一端が潜流調整板１０１０上端部１０１０Ａの左右両側にそれぞれ連結されたワイヤ１０１１、１０１２と、ワイヤ１０１１、１０１２の他端を連結して引き出し自在に巻き取るとともに同一軸心上に配置されたプーリ１０１３、１０１４と、これら各プーリ１０１３、１０１４の互いに向かい合う一側面１０１３Ａ、１０１４Ｂから延びる回動伝達軸（軸）１０１５、１０１６同士を連結してこれら両回動伝達軸１０１５、１０１６を同期させる第１のコネクタ（潜流調整板水平同期手段）１０１７と、プーリを正逆に回動させる操作ハンドル（回動操作手段）１０１８とを備えて構成した点が異なっている。第１のコネクタ１０１７は、回動伝達軸１０１５、１０１６の衝合端にそれぞれ歯車（図示せず）を設けこれら歯車同士を噛合させて両軸１０１５、１０１６の同期をとるようになっている。
【０１３５】
すなわち、本発明の第１１の実施例に係る水路の分水機構１００２は、操作ハンドル１０１８によりプーリ１０１３を正逆に回動させると、他方のプーリ１０１４が第１のコネクタ１０１７を通じて同期して回動し、プーリ１０１３、１０１４の回動に応じてワイヤ１０１１、１０１２が潜流調整板１０１０の左右両側を上下動させる。このとき、各プーリ１０１３、１０１４は第１のコネクタ１０１７により回動伝達軸１０１５、１０１６を介して同期されるので、ワイヤ１０１１、１０１２は潜流調整板上端部１０１０Ａの左右両側を水平を確保して上下動させるようになっている。このため、本発明の第１１の実施例に係る水路の分水機構１００２は、上記第１０の実施例に対し、簡素な構造で潜流調整板１０１０を水平を確保して上下動させることができるようになっている。
【実施例１５】
【０１３６】
次に、本発明の第１２の実施例に係る水路の分水機構１１０２について説明する。本発明の第１２の実施例に係る水路の分水機構１１０２は、上記第１１の実施例に係る水路の分水機構１００２が、１枚の潜流調整板１０１０をプーリ１０１３、１０１４と第１のコネクタとを通じて水平に上下に変位させるようにしているのに対し、図４３に示すように、本実施例では、同一水路面上に配置された２枚の潜流調整板１０１０、１０２０を備え、変位手段がこれらすべての潜流調整板（本実施例では２枚）を水平を確保し、かつ、両者を同期させて上下に変位させるようにした点が異なっている。
【０１３７】
すなわち、本発明の第１２の実施例に係る水路の分水機構１１０２は、同一水路面上に配置され図示しない支持ガイドにより上下に変位可能に支持される第１第２の潜流調整板１０１０、１０２０毎に変位手段が設けられる。第１の潜流調整板１０１０の変位手段は、上記第１１の実施例と同様に、一端が第１の潜流調整板１０１０の上端部１０１０Ａの左右両側にそれぞれ連結されたワイヤ１０１１、１０１２と、これらワイヤ１０１１、１０１２の他端を連結して引き出し自在に巻き取るとともに同一軸心上に配置されたプーリ１０１３、１０１４と、これら各プーリ１０１３、１０１４の互いに向かい合う一側面１０１３Ａ、１０１４Ｂから延びる回動伝達軸１０１５、１０１６同士を連結してこれら両回動伝達軸１０１５、１０１６を同期させる第１のコネクタ（潜流調整板水平同期手段）１０１７とを備えて構成される。プーリ１０１３の他側面１０１３Ｂには、このプーリ１０１３を正逆に回動させる操作ハンドル１０１８が取り付けられる。
【０１３８】
第２の潜流調整板１０２０側の変位手段は、一端が第２の潜流調整板１０２０の上端部１０２０Ａの左右両側にそれぞれ連結されたワイヤ１０２１、１０２２と、これらワイヤ１０２１、１０２２の他端を連結して引き出し自在に巻き取るとともに同一軸心上に配置されたプーリ１０２３、１０２４と、これら各プーリ１０２３、１０２４の互いに向かい合う一側面１０２３Ａ、１０２４Ｂから延びる回動伝達軸１０２５、１０２６同士を連結してこれら両回動伝達軸１０２５、１０２６を同期させる第１のコネクタ（潜流調整板水平同期手段）１０２７とを備えて構成される。第１のコネクタ１０１７、１０２７はそれぞれ、回動伝達軸１０１５、１０１６と１０２５、１０２６の衝合端にそれぞれ歯車（図示せず）を設けこれら歯車同士を噛合させて各軸１０１５、１０１６と１０２５、１０２６の同期をとるようになっている。
【０１３９】
ところで、本実施例に係る水路の分水機構１１０２の変位手段は、第１の潜流調整板１０１０の変位手段と第２の潜流調整板１０２０の変位手段を同期させる第２のコネクタ（全潜流調整板水平同期手段）１０３７を備えている。すなわち、第２のコネクタ１０３７は、隣接するこれら第１第２の潜流調整板１０１０、１０２０の各プーリ１０１３、１０１４、１０２３、１０２４のうち、他方の潜流調整板１０１０、１０２０の近接したプーリ１０１４、１０２３の他方の側面１０１４Ａ、１０２３Ｂから延びる回動伝達軸（回動伝達手段）１０３５、１０３６同士を連結してこれら両回動伝達軸１０３５、１０３６を同期させるようになっている。このため、操作ハンドル１０１８が回動操作されると、この回転はプーリ１０１３から順に回動伝達軸１０１５−第１のコネクタ１０１７−回動伝達軸１０１６−プーリ１０１４−回動伝達軸１０３５−第２のコネクタ１０３７−回動伝達軸１０３６−プーリ１０２３−回動伝達軸１０２５−第１のコネクタ１０２７−回動伝達軸１０２６−プーリ１０２４に伝達される。こうして、第１２の実施例に係る水路の分水機構１１０２では、両潜流調整板１０１０、１０２０を水平を確保し、かつ、両者を同期させて上下に変位させることができるようになっている。すなわち、第２のコネクタを用いることにより、２枚の潜流調整板１０１０、１０２０を同期をとった上で、配置の自由度を高くすることができる。
【実施例１６】
【０１４０】
次に、本発明の第１３の実施例に係る水路の分水機構１２０２について説明する。本発明の第１３の実施例に係る水路の分水機構１２０２は、上記第１２の実施例に係る水路の分水機構１１０２が、同一水路面上に配置された２枚の潜流調整板１０１０、１０２０を水平に上下に変位させるようにしているのに対し、図４４に示すように、本実施例では、分水口１２０４を上流側幹線水路１２２０の側壁１２２０Ａに形成し、通水口１２０５を分水口１２０４より下流側の下流側幹線水路１２２２の水路面に配し、これら分水口１２０４と通水口１２０５とにそれぞれ別体で上下方向に変位し所望の位置で保持される潜流調整板１０４０、１０５０をそれぞれ設置し、変位手段がこれら２枚の潜流調整板１０４０、１０５０を水平を確保し、かつ、両者を同期させて上下に変位させるようにした点が異なっている。
【０１４１】
すなわち、第１３の実施例に係る水路の分水機構１２０２は、第１の潜流調整板１０４０と第２の潜流調整板１０５０にはそれぞれ、上記第１２の実施例と同様に、両プーリ１０１３、１０１４および１０２３、１０２４とこれら両プーリ１０１３、１０１４および１０２３、１０２４間を回動伝達軸１０１５、１０１６および１０２５、１０２６を介して連結する第１のコネクタ１０１７および１０２７とが設けられる。そして、第１の潜流調整板１０４０は分水口１２０４に、第２の潜流調整板１０５０は通水口１２０５にそれぞれ設置されているので、これら第１の潜流調整板１０４０のなす面と第２の潜流調整板１０５０のなす面とが直角になり、第１の潜流調整板１０４０側の回動伝達軸１０１５，１０１６の軸方向と第２の潜流調整板１０５０側の回動伝達軸１０２５，１０２６の軸方向とは直角となる。このため、第２のコネクタ１０４７は、９０度の角度で隣接するこれら第１第２の潜流調整板１０４０、１０５０の各プーリ１０１３、１０１４、１０２３、１０２４のうち、他方の潜流調整板１０４０、１０５０の近接したプーリ１０１４、１０２３の他方の側面１０１４Ａ、１０２３Ｂからそれぞれ延びる回動伝達軸１０４５、１０４６同士を連結してこれら両回動伝達軸１０４５、１０４６を９０度の角度で図示しない傘歯車で連結し同期させるようになっている。このように、本実施例では、潜流調整板１０４０、１０５０が配置される角度の変化に対する自由度を高くすることができる。
【実施例１７】
【０１４２】
次に、上記第１３の実施例の変形例に係る水路の分水機構１３０２について説明する。第１３の実施例の変形例に係る水路の分水機構１４０２は、上記第１３の実施例に係る水路の分水機構１３０２が、直角に配置された第１第２の潜流調整板１０４０、１０５０の間に、第２のコネクタ１０４７を設けるようにしているのに対し、図４５に示すように、この第２の１０４７と第２の潜流調整板１０５０のプーリ１０２３側との間に回転数変換機１０４９を設けた点が異なっている。係る構成とすることにより、確実に同期をとることができる。
【実施例１８】
【０１４３】
次に、本発明の第１４の実施例に係る水路の分水機構１４０２について説明する。本発明の第１４の実施例に係る水路の分水機構１４０２は、上記第１２および第１３の実施例に係る水路の分水機構１１０２、１２０２が、第２のコネクタ１０３７、１０４７を単体で構成しているのに対し、第２のコネクタ１０６７Ａ、１０６７Ｂ、１０６７Ｃを複数台で構成している点が異なっている。すなわち、本実施例に係る水路の分水機構１４０２は、図４６に示すように、直角に配置された第１第２の潜流調整板１０４０、１０５０の近接したプーリ１０１４、１０２３の他方の側面１０１４Ａ、１０２３Ｂからそれぞれ延びる回動伝達軸１０６５、１０６６に連結される第２のコネクタ１０６７Ａ、１０６７Ｃを備えるとともに、こられ第２のコネクタ１０６７Ａ、１０６７Ｃ間にほぼ４５度に傾斜して設けられ第２のコネクタ１０６７Ａ、１０６７Ｃからそれぞれ延びる回動伝達軸１０６８、１０６９に連結される第２のコネクタ１０６７Ｂを備えている。この中間の第２のコネクタ１０６７Ｂは、各回動伝達軸１０６８、１０６９と傾斜して連結されるようになっている。このように、本実施例では、第２のコネクタを、複数のコネクタ１０６７Ａ、１０６７Ｂ、１０６７Ｃにより構成したことにより、第２のコネクタの小型化が可能となる。
【実施例１９】
【０１４４】
次に、本発明の第１５の実施例に係る水路の分水機構１５０２について説明する。本発明の第１５の実施例に係る水路の分水機構１５０２は、上記第１２ないし第１４の実施例に係る水路の分水機構１１０２〜１４０２が、回動伝達軸を剛体の軸材で構成しているのに対し、図４７に示すように、第２のコネクタ１０７７と各プーリ１０１４、１０２３と
の間を弦巻ばね１０７５、１０７６とにより連結した点が異なっている。この実施例では、弦巻ばね１０７５、１０７６を回転伝搬手段として用い２枚の潜流調整板１０４０、１０５０を同期させるようにしている。
【実施例２０】
【０１４５】
次に、本発明の第１６の実施例に係る水路の分水機構１６０２について説明する。本発明の第１６の実施例に係る水路の分水機構１６０２は、上記第１の実施例に係る水路の分水機構２が、水位制御装置を、支柱６Ｂ、６Ｃと堰上げ板１２とにより構成される第２のゲート８により構成し、堰上げ板１２の上端越流部１２Ａから下流側に水を越流させ、上端越流部１２Ａの上下位置に応じて上流側の水位を調整するようにしているのに対し、図４８に示すように、水位制御装置をスルースゲート１６０８により構成した点が異なっている。すなわち、スルースゲート１６０８は、支柱６Ｂ、６Ｃとこれら支柱６Ｂ、６Ｃ間に上下動自在に設けられた扉板（水位制御用潜流板）１６１２とにより構成される。このスルースゲート１６０８は、扉板１６１２の下端部１６１２Ａからの潜流を許容し、上端部１６１２Ｂからの越流を阻止するようになっている。扉板１６１２は、図示しない扉板変位装置（水位制御用潜流板変位装置）により扉板１６１２の下端部１６１２Ａを上下に変位させて保持されるようになっている。このため、本実施例に係る水路の分水機構１６０２では、扉板１６１２の下端部１６１２Ａの位置により上流側の水位がどのレベルに達すると通水口下流側への流下を優先させるか決定することができるようになっている。
【０１４６】
なお、上記実施例では、変位手段を、支持枠６Ａ、６Ｃ、６Ｅと、この支持枠６Ａ、６Ｃ、６Ｅの上枠６Ｅを上下に貫通して螺合され下端が潜流調整板１０の上端に回動自在に連結され上端に工具（回動ハンドル、図示せず）を嵌め入れて操作する調整ロッド１１とにより構成しているがこれに限られるものではなく、潜流調整板１０を上下に変位させ所定の位置で保持する変位装置であればよい。また、上記実施例６では、従来例のモデルＭ−ＩＩとして、通水口５側の第１の潜流調整板Ｃ１０Ａと分水口４側の第２の潜流調整板Ｃ１０Ｂとをそれぞれ独立に上下に操作する例を示しているが、たとえこれら両潜流調整板が別体であっても、図１５に示す上記実施例４と同様に開度調整装置によりこれら両板を一体に変位可能に同期させるよう構成してもよく、両板が別体で変位する既設の施設についても本願発明の構成を適用することができる。さらに、上記実施例では、灌漑水路などの農業用水路やパイプラインについて述べているがこれらに限られるものではなく、流体を本線と支線とに分配して流下させる構造物についても適用可能であることはいうまでもない。また、上記実施例では、潜流調整部材を一枚板の潜流調整板により構成しているがこれに限られるものではなく、折り畳まれた多数の板を水路上方に配置し、伸縮させて下端部から潜流を生じさせるようにしてもよい。さらに、上記各実施例では、通水口と分水口との開口形状を矩形状としているがこれに限られるものではなく、例えば、開口形状が円形や台形、逆三角形のように非矩形状の相似形であっても潜流調整部材の上下変位の量と開口面積の増減とを比例させるように構成すれば、通水口を通過する通水量と分水口を通過する分水量とにより求められる分水比率が常にほぼ一定となり、分水と通水との水量の配分をこの分水比率に基づいて行うようにすることができる。また、上記第１１ないし第１５の実施例では、ワイヤの一端を潜流調整板の上端部に連結するようにしているがこれに限られるものではなく、潜流調整板上端部の左右両側にそれぞれシーブを設け、このシーブにワイヤを巻回し、シーブに巻回されたワイヤをプーリに巻き取るようにしてもよい。
【符号の説明】
【０１４７】
２  水路の分水機構
４  分水口
５  通水口
１０  潜流調整板（潜流調整部材）
１１  調整ロッド（変位手段）
２０、２２  幹線水路
２１  支線水路
【図１】
2012172312.tif 000003
【図２】
2012172312.tif 000004
【図３】
2012172312.tif 000005
【図４】
2012172312.tif 000006
【図５】
2012172312.tif 000007
【図６】
2012172312.tif 000008
【図７】
2012172312.tif 000009
【図８】
2012172312.tif 000010
【図９】
2012172312.tif 000011
【図１０】
2012172312.tif 000012
【図１１】
2012172312.tif 000013
【図１２】
2012172312.tif 000014
【図１３】
2012172312.tif 000015
【図１４】
2012172312.tif 000016
【図１５】
2012172312.tif 000017
【図１６】
2012172312.tif 000018
【図１７】
2012172312.tif 000019
【図１８】
2012172312.tif 000020
【図１９】
2012172312.tif 000021
【図２０】
2012172312.tif 000022
【図２１】
2012172312.tif 000023
【図２２】
2012172312.tif 000024
【図２３】
2012172312.tif 000025
【図２４】
2012172312.tif 000026
【図２５】
2012172312.tif 000027
【図２６】
2012172312.tif 000028
【図２７】
2012172312.tif 000029
【図２８】
2012172312.tif 000030
【図２９】
2012172312.tif 000031
【図３０】
2012172312.tif 000032
【図３１】
2012172312.tif 000033
【図３２】
2012172312.tif 000034
【図３３】
2012172312.tif 000035
【図３４】
2012172312.tif 000036
【図３５】
2012172312.tif 000037
【図３６】
2012172312.tif 000038
【図３７】
2012172312.tif 000039
【図３８】
2012172312.tif 000040
【図３９】
2012172312.tif 000041
【図４０】
2012172312.tif 000042
【図４１】
2012172312.tif 000043
【図４２】
2012172312.tif 000044
【図４３】
2012172312.tif 000045
【図４４】
2012172312.tif 000046
【図４５】
2012172312.tif 000047
【図４６】
2012172312.tif 000048
【図４７】
2012172312.tif 000049